(57)【要約】  印刷文字と撮影画像とを含む合成画像を快適に表示しまたは印刷することを可能にすることができる撮像装置。本装置は、被写体の光学的な像を受光し、光学的な像を電気的な画像信号に変換する撮像センサと、被写体に対する合焦位置を検出する合焦位置検出部と、画像信号と合焦位置を示す合焦位置情報とを対応付けて記録させる制御部とを備える。
2007097271.tif 000002
【特許請求の範囲】
【請求項１】
被写体の光学的な像を受光し、前記光学的な像を電気的な画像信号に変換する撮像センサと、
前記画像信号から、撮影画面上の特定領域を検出する領域検出部と、
前記画像信号と前記検出された特定領域の位置情報とを対応付けて記録させる制御部と、
を備える撮像装置。
【請求項２】
前記制御部は、
前記画像信号と前記検出された特定領域の位置情報とを対応付けて内部メモリに記録させる、
請求項１に記載の撮像装置。
【請求項３】
前記制御部は、
前記画像信号と前記検出された特定領域の位置情報とを対応付けて着脱可能なメモリに記録させる、
請求項１に記載の撮像装置。
【請求項４】
被写体の光学的な像を受光し、前記光学的な像を電気的な画像信号に変換する撮像センサと、
前記画像信号から、撮影画面上の前記被写体に対する合焦位置を検出する合焦位置検出部と、
前記画像信号と前記検出された合焦位置を示す合焦位置情報とを対応付けて記録させる制御部と、
を備える撮像装置。
【請求項５】
前記撮影画面上の前記合焦位置と異なる位置に文字情報または画像を配置して、前記画像信号に対応する撮影画像と前記文字情報または画像とを含む印刷データを生成する印刷データ生成部、
をさらに備える、請求項４に記載の撮像装置。
【請求項６】
前記合焦位置検出部は、
前記撮影画面上に設定された複数の測距領域における合焦状態を検出し、当該検出結果に基づいて前記複数の測距領域のうち少なくとも１つの合焦すべき測距領域を選択する合焦領域選択部を含み、
前記印刷データ生成部は、
前記撮影画面上の前記選択された測距領域と異なる領域に前記文字情報または画像を配置して、前記印刷データを生成する、
請求項５に記載の撮像装置。
【請求項７】
複数の文字情報または複数の画像を記録する記録部と、
前記記録された複数の文字情報または複数の画像からユーザの選択を受け付ける受付部と、をさらに備え、
前記印刷データ生成部は、
前記選択された文字情報または画像を前記撮影画面上の前記合焦位置と異なる位置に配置して、前記印刷データを生成する、
請求項５に記載の撮像装置。
【請求項８】
文字情報または画像を入力可能な入力部、をさらに備え、
前記印刷データ生成部は、
前記入力された文字情報または画像を前記撮影画面上の前記合焦位置と異なる位置に配置して、前記印刷データを生成する、
請求項５に記載の撮像装置。
【請求項９】
前記撮像装置の撮影時の姿勢を検出する姿勢検出部、をさらに備え、
前記制御部は、
さらに、前記画像信号と前記検出された姿勢を示す姿勢情報とを対応付けて記録させ、
前記印刷データ生成部は、
さらに、前記姿勢情報に基づいて前記撮影画像の天地方向と等しい方向に前記文字情報または画像を配置して、前記印刷データを生成する、
請求項５に記載の撮像装置。
【請求項１０】
光軸と直交する方向に移動する補正レンズを含み、被写体の光学的な像を形成する撮像光学系と、
前記撮像装置に加わる振動を検知して前記補正レンズを駆動させる像ブレ補正部と、をさらに備え、
前記姿勢検出部は、
前記補正レンズを駆動させるための信号に基づいて前記撮像装置の撮影時の姿勢を検出する、
請求項９に記載の撮像装置。
【請求項１１】
前記像ブレ補正部は、
前記補正レンズを光軸と直交する２方向に駆動させるための第１および第２のアクチュエータを含み、
前記姿勢検出部は、
前記第１または／および第２のアクチュエータを駆動させる駆動電流に基づいて前記撮像装置の撮影時の姿勢を検出する、
請求項１０に記載の撮像装置。
【請求項１２】
前記撮影画像および前記文字情報または画像を表示する表示部と、
前記文字情報または画像を、前記撮影画面上の前記合焦位置と異なる位置に、前記姿勢情報に基づいて前記撮影画像の天地方向と等しい方向に配置して、前記表示部に表示させる表示制御部と、
をさらに備える、請求項９に記載の撮像装置。
【請求項１３】
外部からの信号を受信し、当該信号に基づいて緯度および／または経度を含む位置情報を取得する位置取得部、をさらに備え、
前記文字情報は、前記撮像装置の撮影時の位置情報を含む、
請求項５に記載の撮像装置。
【請求項１４】
緯度および／または経度を含む位置情報と地名とが対応付けられた地名データを記憶する地名データ記憶部と、
前記取得した撮影時の位置情報に対応する地名を前記地名データ記憶部から検索する地名検索部と、をさらに備え、
前記文字情報は、前記検索された撮影時の地名を含む、
請求項１３に記載の撮像装置。
【請求項１５】
前記合焦位置は、前記被写体の顔位置である、請求項４に記載の撮像装置。
【請求項１６】
撮像装置と印刷装置とを相互に接続可能な印刷システムであって、
前記撮像装置は、
被写体の光学的な像を受光し、前記光学的な像を電気的な画像信号に変換する撮像センサと、
前記画像信号から、撮影画面上の前記被写体に対する合焦位置を検出する合焦位置検出部と、
前記画像信号と前記検出された合焦位置を示す合焦位置情報とを対応付けて記録させる制御部と、
前記撮影画面上の前記合焦位置と異なる位置に文字情報または画像を配置して、前記画像信号に対応する撮影画像と前記文字情報または画像とを含む印刷データを生成する印刷データ生成部と、
前記生成された印刷データを出力する印刷データ出力部と、を備え、
前記印刷装置は、
前記出力された印刷データを受信して印刷を行う印刷部、を備える、
印刷システム。
【請求項１７】
前記撮像装置は、
前記撮像装置の撮影時の姿勢を検出する姿勢検出部、をさらに備え、
前記制御部は、
さらに、前記画像信号と前記検出された姿勢を示す姿勢情報とを対応付けて記録させ、
前記印刷データ生成部は、
さらに、前記姿勢情報に基づいて前記撮影画像の天地方向と等しい方向に前記文字情報または画像を配置して、前記印刷データを生成する、
請求項１６に記載の印刷システム。
【請求項１８】
前記撮像装置は、
前記撮影画像および前記文字情報または画像を表示する表示部と、
前記文字情報または画像を、前記撮影画面上の前記合焦位置と異なる位置に、前記姿勢情報に基づいて前記撮影画像の天地方向と等しい方向に配置して、前記表示部に表示させる表示制御部と、
をさらに備える、請求項１７に記載の印刷システム。
【請求項１９】
被写体の光学的な像を電気的に変換して得られた画像信号と、撮影画面上の前記被写体に対する合焦位置を示す合焦位置情報とを取得する取得部と、
前記撮影画面上の前記合焦位置と異なる位置に文字情報または画像を配置して、前記画像信号に対応する撮影画像と前記文字情報または画像とを含む印刷データを生成する印刷データ生成部と、
前記生成された印刷データに基づいて印刷を行う印刷部と、
を備える印刷装置。
【請求項２０】
被写体の光学的な像を電気的に変換して得られた画像信号と、撮影画面上の前記被写体に対する合焦位置を示す合焦位置情報とを取得する取得ステップと、
前記撮影画面上の前記合焦位置と異なる位置に文字情報または画像を配置して、前記画像信号に対応する撮影画像と前記文字情報または画像とを含む印刷データを生成する印刷データ生成ステップと、
前記生成された印刷データに基づいて印刷を行う印刷ステップと、
を備える印刷方法。
【請求項２１】
前記取得ステップは、
さらに、撮像装置の撮影時の姿勢を示す姿勢情報を取得し、
前記印刷データ生成ステップは、
さらに、前記姿勢情報に基づいて前記撮影画像の天地方向と等しい方向に前記文字情報または画像を配置して、前記印刷データを生成する、
請求項２０に記載の印刷方法。
【請求項２２】
被写体の光学的な像を受光し、前記光学的な像を電気的な画像信号に変換する撮像センサと、
前記画像信号から、撮影画面上の前記被写体の顔位置を検出し、または、記録部から読み出された画像信号から、撮影画面上の被写体の顔位置を検出する顔位置検出部と、
前記画像信号と前記検出された顔位置を示す顔位置情報とを対応付けて記録させる制御部と、
を備える撮像装置。
【請求項２３】
前記撮影画面上の前記顔位置と異なる位置に文字情報または画像を配置して、前記画像信号に対応する撮影画像と前記文字情報または画像とを含む印刷データを生成する印刷データ生成部、
をさらに備える、請求項２２に記載の撮像装置。
【発明の詳細な説明】
【技術分野】
【０００１】
本発明は、撮影画像を印刷する方法に関し、より特定的には撮影画像の印刷処理を制御する撮像装置、印刷装置、印刷システムおよび印刷方法に関する。
【背景技術】
【０００２】
近年、ＣＣＤ（Charge Coupled Device）やＣＭＯＳ（Complementary Metal-Oxide Semiconductor）技術の進歩により撮像センサの信号処理能力が向上している。また、撮像センサを安価に提供できるようになったため、被写体の光学的な像を電気的な画像信号に変換して、パーソナルコンピュータに画像信号を出力可能なデジタルスチルカメラやデジタルビデオカメラ（以下、単にデジタルカメラという）が急速に普及している。【０００３】
一般的に、デジタルカメラにより撮影された画像を印刷するには、まずデジタルカメラに記録された撮影画像をパーソナルコンピュータに取り込む必要がある。そして、パーソナルコンピュータに接続された印刷装置は、印刷指令を受けて撮影画像を用紙上に印刷する。【０００４】
しかしながら、ユーザはパーソナルコンピュータを操作して、撮影画像を取り込み、印刷する必要がある。そのため、パーソナルコンピュータに馴染みのないユーザにとっては撮影画像を印刷することは容易ではない。また、印刷作業を行うためには、パーソナルコンピュータに撮影画像を取り込むためのソフトウェアや撮影画像を印刷装置に出力するためのソフトウェアが導入されている必要がある。【０００５】
これに対し、パーソナルコンピュータを介することなくデジタルカメラと直接接続することのできる印刷装置が提案されている（特許文献１）。これにより、ユーザはパーソナルコンピュータを操作する必要がないので、パーソナルコンピュータに馴染みのないユーザであっても、撮影画像を容易に印刷することができる。また、特許文献１に記載の印刷装置は、あらかじめカレンダーや絵葉書等の雛型を記録しており、雛型に撮影画像を配置した合成画像を印刷することができる。【０００６】
一方、撮影の日付と時刻、シャッタースピード、絞り値等の撮影データに関する付加情報を撮影画像とともに記録するカメラが提案されている。例えば、特許文献２に記載のカメラは、付加情報として画像が撮影された場所を示す情報を記録することができる。すなわち、特許文献２に記載のカメラは、人工衛星からの電波により地球上での位置を特定するＧＰＳ（Global Positioning System）を備えており、ＧＰＳによって得られた位置情報を撮影画像とともに表示する。
【特許文献１】特開平１０−１０７９８１号公報
【特許文献２】特開２０００−１９６９３３号公報
【発明の開示】
【発明が解決しようとする課題】
【０００７】
デジタルカメラの普及に伴い、近年では撮影画像だけでなく、撮影画像に多くの文字情報が付加された画像を容易にかつ効率よく印刷したいという要望が高まりつつある。しかしながら、特許文献１に記載された印刷装置は、使用する雛型に合わせてユーザが撮影画像の配置位置を調整する必要があるので、利便性が悪いという問題があった。【０００８】
また、特許文献２に記載されたカメラは、撮影時の位置情報を撮影画像とともに表示する。しかしながら、特許文献２のカメラは撮影画面における被写体の位置を考慮せずに位置情報を配置するので、被写体と位置情報とが重なった合成画像が表示される場合があり、視認性が悪いという問題があった。【０００９】
さらに、従来のデジタルカメラは、撮影時のデジタルカメラの天地方向に関わらず、一定の天地方向で撮影画像を記録していた。図１は、デジタルカメラの姿勢と表示部に表示される撮影画像との関係を示す。図１に示すように、ユーザは撮影意図に応じ、デジタルカメラ５００の姿勢を変化させて撮影を行う。例えば、図１Ａに示すように、横長画像として撮影する場合には、ユーザはデジタルカメラ５００の姿勢を横状態として撮影を行う。そして、デジタルカメラ５００の姿勢を横方向にして撮影画像を確認する場合、表示部に表示される撮影画像の天地方向は、撮影時のデジタルカメラの天地方向と一致する。【００１０】
一方、図１Ｂに示すように縦長画像として撮影する場合には、ユーザはデジタルカメラ５００の姿勢を縦状態として撮影を行う。そして、図１Ｃに示すように、デジタルカメラ５００の姿勢を横方向にして撮影画像を確認する場合、表示部に表示される撮影画像の天地方向は、撮影時のデジタルカメラの天地方向と一致せず、視認性が悪いという問題があった。以下、図１Ａに示すように、シャッターボタンのストローク方向と重力方向とが平行になる場合のデジタルカメラ５００の姿勢を横撮り姿勢という。一方、図１Ｂに示すように、シャッターボタンのストローク方向と重力方向とが直交する場合のデジタルカメラ５００の姿勢を縦撮り姿勢という。また、横撮り姿勢にて撮影された画像を、以下、横撮り画像といい、縦撮り姿勢にて撮影された画像を縦撮り画像という。【００１１】
また、撮影画像とともに位置情報を表示する特許文献２に記載のカメラは、撮影時のデジタルカメラの天地方向に関わらず、撮影画像を一定の天地方向で記録する。そのため、位置情報を示す文字列が撮影画像と異なる天地方向で表示される場合がある。図２は、特許文献２に記載されたカメラにおける撮影画像と位置情報の合成画像の表示例である。図２Ａは、横撮り姿勢にて撮影された場合の表示例、図２Ｂは、縦撮り姿勢にて撮影された場合の表示例である。図２Ｂに示すように、特許文献２に記載のカメラは、位置情報を示す文字列５２０を撮影画像５１０上の所定の位置および天地方向で配置する。このように、撮影画像の天地方向と文字列の天地方向は一致しないので、ユーザにとって視認性の悪いという問題があった。【００１２】
本発明の目的は、印刷文字と撮影画像とを含む合成画像を快適に表示しまたは印刷することを可能にすることができる撮像装置、印刷装置、印刷システムおよび印刷方法を提供することである。
【課題を解決するための手段】
【００１３】
本発明の撮像装置は、被写体の光学的な像を受光し、前記光学的な像を電気的な画像信号に変換する撮像センサと、前記画像信号から、撮影画面上の特定領域を検出する領域検出部と、前記画像信号と前記検出された特定領域の位置情報とを対応付けて記録させる制御部と、を備える構成を採る。【００１４】
本発明の撮像装置は、被写体の光学的な像を受光し、前記光学的な像を電気的な画像信号に変換する撮像センサと、前記画像信号から、撮影画面上の前記被写体に対する合焦位置を検出する合焦位置検出部と、前記画像信号と前記検出された合焦位置を示す合焦位置情報とを対応付けて記録させる制御部と、を備える構成を採る。【００１５】
本発明の撮像装置は、被写体の光学的な像を受光し、前記光学的な像を電気的な画像信号に変換する撮像センサと、前記画像信号から、撮影画面上の前記被写体の顔位置を検出し、または、記録部から読み出された画像信号から、撮影画面上の被写体の顔位置を検出する顔位置検出部と、前記画像信号と前記検出された顔位置を示す顔位置情報とを対応付けて記録させる制御部と、を備える構成を採る。【００１６】
本発明の印刷システムは、撮像装置と印刷装置とを相互に接続可能な印刷システムであって、前記撮像装置は、被写体の光学的な像を受光し、前記光学的な像を電気的な画像信号に変換する撮像センサと、前記画像信号から、撮影画面上の前記被写体に対する合焦位置を検出する合焦位置検出部と、前記画像信号と前記検出された合焦位置を示す合焦位置情報とを対応付けて記録させる制御部と、前記撮影画面上の前記合焦位置と異なる位置に文字情報または画像を配置して、前記画像信号に対応する撮影画像と前記文字情報または画像とを含む印刷データを生成する印刷データ生成部と、前記生成された印刷データを出力する印刷データ出力部と、を備え、前記印刷装置は、前記出力された印刷データを受信して印刷を行う印刷部、を備える構成を採る。【００１７】
本発明の印刷装置は、被写体の光学的な像を電気的に変換して得られた画像信号と、撮影画面上の前記被写体に対する合焦位置を示す合焦位置情報とを取得する取得部と、前記撮影画面上の前記合焦位置と異なる位置に文字情報または画像を配置して、前記画像信号に対応する撮影画像と前記文字情報または画像とを含む印刷データを生成する印刷データ生成部と、前記生成された印刷データに基づいて印刷を行う印刷部と、を備える構成を採る。【００１８】
本発明の印刷方法は、被写体の光学的な像を電気的に変換して得られた画像信号と、撮影画面上の前記被写体に対する合焦位置を示す合焦位置情報とを取得する取得ステップと、前記撮影画面上の前記合焦位置と異なる位置に文字情報または画像を配置して、前記画像信号に対応する撮影画像と前記文字情報または画像とを含む印刷データを生成する印刷データ生成ステップと、前記生成された印刷データに基づいて印刷を行う印刷ステップと、を備えるようにした。
【発明の効果】
【００１９】
本発明によれば、印刷文字と撮影画像とを含む合成画像を快適に表示しまたは印刷することを可能にすることができる。
【図面の簡単な説明】
【００２０】
【図１】従来のデジタルカメラの姿勢と表示部に表示される撮影画像の関係を示す図
【図２】従来のカメラにおける撮影画像と位置情報の合成画像の表示例を示す図
【図３】実施の形態１に係るデジタルカメラの概略構成を示すブロック図
【図４】実施の形態１に係るデジタルカメラに設定された測距領域の一例を示す図
【図５】実施の形態１に係るデジタルカメラの制御ブロック図について要部のみを抜き出した図
【図６】実施の形態１に係るデジタルカメラと印刷装置の概略構成図
【図７】実施の形態１に係るデジタルカメラの構成を示す図であり、図７Ａは上面図、図７Ｂは背面図
【図８】実施の形態１における像ブレ補正機構の制御システムについて説明するための図
【図９】実施の形態１に用いる像ブレ補正機構の構成を示す図
【図１０】実施の形態１における撮影画像の印刷処理に関するフローチャート
【図１１】実施の形態１におけるサムネイル画像の表示例を示す図
【図１２】実施の形態１において表示部に表示された印刷メニューの一例を示す図
【図１３】実施の形態１における印刷処理のフローチャート
【図１４】実施の形態１における印刷装置により印刷された合成画像の一例を示す図
【図１５】実施の形態２における像ブレ補正機構の姿勢を示す図、図１５Ａは横撮り姿勢の撮影における像ブレ補正機構の姿勢を示す図、図１５Ｂは縦撮り姿勢の撮影における像ブレ補正機構を示す図
【図１６】実施の形態２における撮影姿勢別のコイル供給電流量を示す図
【図１７】実施の形態２における撮影姿勢別の姿勢判別信号を示す図
【図１８】実施の形態２における撮影時における表示部の表示例を示す図
【図１９】実施の形態２に係るデジタルカメラにおける撮影画像の表示例を示す図、図１９Ａは横撮り姿勢にて撮影された画像を示し、図１９Ｂは縦撮り姿勢にて撮影された画像を示す図
【図２０】実施の形態２における表示部に表示される印刷メニューの一例を示す図
【図２１】実施の形態２における撮影画像の印刷処理に関するフローチャート
【図２２】実施の形態２における印刷装置により印刷された合成画像の一例であり、図２２Ａは横長画像の印刷例を示す図、図２２Ｂは縦長画像の印刷例を示す図
【図２３】実施の形態３に係るデジタルカメラの概略構成を示すブロック図
【図２４】実施の形態３における印刷装置により印刷された合成画像の一例であり、図２４Ａは横長画像の印刷例を示す図、図２４Ｂは縦長画像の印刷例を示す図
【図２５】実施の形態１〜４に適用可能な変形例における合成画像の一例を示す図
【図２６】実施の形態１〜４に適用可能な変形例における合成画像の他の例を示す図
【発明を実施するための最良の形態】
【００２１】
（実施の形態１）
図３は、実施の形態１に係るデジタルカメラ１の概略構成を示すブロック図である。デジタルカメラ１は、撮像光学系Ｌと、マイクロコンピュータ３と、撮像センサ４と、ＣＣＤ駆動制御部５と、アナログ信号処理部６と、Ａ／Ｄ変換部７と、デジタル信号処理部８と、バッファメモリ９と、画像圧縮部１０と、画像記録制御部１１と、画像記録部１２と、画像表示制御部１３と、ＡＦ制御部９１と、表示部５５と、シャッター制御部４１と、シャッター駆動モータ４２と、画像印刷制御部７１と、印刷データ出力部７２と、印刷文字メモリ８０とを中心に構成される。【００２２】
撮像光学系Ｌは、３つのレンズ群Ｌ１、Ｌ２、Ｌ３を含む光学系である。第１レンズ群Ｌ１および第２レンズ群Ｌ２は、光軸方向に移動することによりズーミングを行う。ここで第２レンズ群Ｌ２は、補正レンズ群であって、光軸に垂直な面内を移動することにより光軸を偏心させて画像の動きを補正する。また第３レンズ群Ｌ３は、光軸方向に移動することによりフォーカシングを行う。なお、撮像光学系Ｌは、上記の光学系の構成に限るものではない。【００２３】
機械的な振動や撮影者による揺れ等がデジタルカメラ１に加わると、被写体からレンズに向かって照射される光の光軸はレンズの光軸とずれて、不鮮明な画像が形成される。そこで、デジタルカメラ１は不鮮明な画像が形成されるのを防止するために像ブレ補正機構２０を備えている。なお、像ブレ補正機構２０の詳細な構成については後述する。【００２４】
マイクロコンピュータ３は、デジタルカメラ１全体を制御する。また、マイクロコンピュータ３は、電源スイッチ３５、シャッター操作部３６、撮影／再生切換操作部３７、十字操作キー３８、ＭＥＮＵ設定操作部３９およびＳＥＴ操作部４０の信号を、それぞれ受信可能である。【００２５】
シャッター操作部３６は、撮影の際に撮影者によって操作される、例えば、レリーズボタンである。シャッター操作部３６が操作されると、タイミング信号がマイクロコンピュータ３に出力される。なお、シャッター操作部３６は半押し操作と全押し操作が可能な二段式の押下スイッチであり、ユーザによる半押し操作により合焦調整が行われ、全押し操作によりタイミング信号が出力される。シャッター制御部４１は、タイミング信号を受信したマイクロコンピュータ３から出力される制御信号にしたがって、シャッター駆動モータ４２を駆動し、シャッターを動作させる。【００２６】
撮像センサ４は、撮影光学系Ｌにより形成される光学的な像を電気的な信号に変換する、例えば、ＣＣＤである。撮像センサ４は、ＣＣＤ駆動制御部５により駆動制御される。なお、撮像センサ４はＣＭＯＳでもよい。【００２７】
撮像センサ４から出力された画像信号は、アナログ信号処理部６から、Ａ／Ｄ変換部７、デジタル信号処理部８、バッファメモリ９、画像圧縮部１０へと、順次送られて処理される。アナログ信号処理部６は、撮像センサ４から出力される画像信号にガンマ処理等のアナログ信号処理を施す。Ａ／Ｄ変換部７は、アナログ信号処理部６から出力されたアナログ信号をデジタル信号に変換する。デジタル信号処理部８は、Ａ／Ｄ変換部７によりデジタル信号に変換された画像信号に対してノイズ除去や輪郭強調、後述するアスペクト比切換処理等のデジタル信号処理を施す。バッファメモリ９は、ＲＡＭ（Random Access Memory）であり、デジタル信号処理部８により処理された画像信号を一旦記憶する。【００２８】
さらに、バッファメモリ９に記憶された画像信号は、画像圧縮部１０から画像記録部１２へと、順次送られて処理される。バッファメモリ９に記憶された画像信号は、画像記録制御部１１の指令により読み出されて、画像圧縮部１０に送信される。画像圧縮部１０に送信された画像信号のデータは、所定の比率で圧縮されて、そのデータサイズが小さくなる。かかる圧縮方法として、例えば、ＪＰＥＧ（Joint Photographic Experts Group）方式が用いられる。また同時に、画像圧縮部１０は、サムネイル表示等に用いられる撮影画像に対応した縮小画像信号を生成する。その後、圧縮された画像信号は、画像記録部１２へ送信される。【００２９】
画像記録部１２は、画像記録制御部１１の指令に基づいて、画像信号と、対応する縮小画像信号と、記録すべき所定の情報とを関連付けて記録する、例えば、内部メモリおよび／又は着脱可能なリムーバブルメモリである。なお、画像信号とともに記録すべき所定の情報は、画像を撮影した際の日時と、焦点距離情報と、シャッタースピード情報と、絞り値情報と、撮影モード情報と、後述するデジタルカメラ１の姿勢情報とを含む、例えば、Ｅｘｉｆ（登録商標）形式やＥｘｉｆ（登録商標）形式に類する形式である。【００３０】
画像表示制御部１３は、マイクロコンピュータ３からの制御信号により制御される。さらに、画像表示制御部１３は、かかる制御信号に基づいて表示部５５に画像記録部１２あるいはバッファメモリ９に格納された画像信号を可視画像として表示させる。ここで、表示部５５の表示形態としては、画像信号のみを可視画像として表示する表示形態と、画像信号と撮影時の情報とを可視画像として表示する表示形態とがある。【００３１】
ＡＦ制御部９１は、フォーカス制御モータ９２を介して、第３レンズ群Ｌ３を光軸ＡＸ方向に駆動させて合焦調整を行う。本実施の形態に係るデジタルカメラ１は、演算処理の負担を軽減する観点から、あらかじめ９点の測距領域Ｆａが設定されている。ＡＦ制御部９１は、各測距領域Ｆａにおける合焦状態を検出し、主被写体に対する最適な合焦位置を算出する。図４は、デジタルカメラ１に設定された測距領域Ｆａの一例であり、撮影画面上の所定の位置に合計９点の測距領域Ｆａが設定される。なお、図４に示す測距領域の数は一例であり、これに限られない。例えば、各測距領域の数および面積を小さくすることにより、合焦調整を行うための演算処理を軽減することができる。また、測距領域の数を増加させることにより、合焦位置をさらに精度よく検出することができる。通常、人物を撮影する場合、図１４、図１８、図２２に示されるように合焦位置は、顔である。【００３２】
図５は、図３で示したデジタルカメラ１の制御ブロック図について要部のみを抜き出した図である。図６は、デジタルカメラ１と印刷装置７４の概略構成図である。図６に示すように、デジタルカメラ１と印刷装置７４とは、ＵＳＢ（Universal Serial Bus）ケーブル７３を用いて接続される。図５中、画像印刷制御部７１は、マイクロコンピュータ３からの制御信号により制御され、外部に接続された印刷装置７４に送信するための印刷データを生成する。ここで、印刷データには、例えば、撮影画像、撮影画像とともに印刷する文字情報、文字情報の配置位置と天地方向、印刷枚数等の印刷に関する各種データが含まれる。印刷データ出力部７２は、画像印刷制御部７１の指令に基づいて、ＵＳＢケーブル７３を介して印刷データを印刷装置７４の記録部に出力する。印刷装置７４は、転送された印刷データおよび印刷指令に基づいて、撮影画像と印刷文字との合成画像を用紙に印刷する。【００３３】
次に、実施の形態１に係るデジタルカメラ１の構成について、図７を用いて説明する。図７Ａは、デジタルカメラ１の上面図であり、図７Ｂは、デジタルカメラ１の背面図である。【００３４】
筐体１ａは、前面にレンズ鏡筒２を含む撮像光学系を備え、背面に電源スイッチ３５と、撮影／再生切換操作部３７と、十字操作キー３８と、ＭＥＮＵ設定操作部３９と、ＳＥＴ操作部４０と、液晶モニタからなる表示部５５とを含む。さらに、筐体１ａの上面は、シャッター操作部３６と、ズーム操作部９５とを備える。【００３５】
ズーム操作部９５は、シャッター操作部３６と同軸に回動可能となるように、シャッター操作部３６の周囲に設けられている。電源スイッチ３５は、デジタルカメラ１の電源のＯＮ／ＯＦＦを行う操作部材である。撮影／再生切換操作部３７は、撮影モードと再生モードの切換えを行う操作部材であり、レバーを回動させることにより切換えられる。また、撮影モードに切換えられた状態でズーム操作部９５を右方向へ回動させると、撮影光学系Ｌは、望遠側へ切換えられる。一方、ズーム操作部９５を左方向へ回動させると、撮影光学系Ｌは、広角側へ切換えられる。【００３６】
ＭＥＮＵ設定操作部３９は、表示部５５に各種メニューを表示させるための操作部材である。十字操作キー３８は、ＭＥＮＵ設定操作部３９の操作により表示部５５に表示された各種操作メニューから、上下左右の部位を押圧して選択するための操作部材である。十字操作キー３８により各種操作メニューが選択されると、マイクロコンピュータ３は、選択されたメニューに応じた実行指令を出す。ＳＥＴ操作部４０は、各種操作メニューの表示を表示前の状態に戻すための操作部材である。【００３７】
次に、図８を用いて像ブレ補正機構の制御システムについて説明する。図８において、像ブレ補正機構２０は、動き補正部１５Ａと、撮影姿勢検出部１４Ａと、動き検出部１７Ａと、信号処理部３Ａとを備える。動き補正部１５Ａは、第２レンズ群Ｌ２と、ヨーイング駆動制御部１５ｘと、ピッチング駆動制御部１５ｙと、位置検出部１６とを含み、撮像光の光軸を制御する。第２レンズ群Ｌ２は、光軸ＡＸに垂直な面内を移動することにより、光軸ＡＸを偏心させ、画像の動きを補正する役割を果たす補正レンズ群である。第２レンズ群Ｌ２は、ヨーイング駆動制御部１５ｘおよびピッチング駆動制御部１５ｙにより、光軸ＡＸに直交する２方向ＸおよびＹ方向に駆動制御される。以下、Ｘ方向をヨーイング方向、Ｙ方向をピッチング方向とする。位置検出部１６は、第２レンズ群Ｌ２の位置を検出する検出手段であり、ヨーイング駆動制御部１５ｘおよびピッチング駆動制御部１５ｙとともに、第２レンズ群Ｌ２を制御するための帰還制御ループを形成する。【００３８】
撮影姿勢検出部１４Ａは、ヨーイング電流値検出部１４ｘと、ピッチング電流値検出部１４ｙとを含む。ヨーイング電流値検出部１４ｘは、後述するヨーイングアクチュエータ２９ｘが動作した際にコイルへ流れる電流値を検出する。同様に、ピッチング電流値検出部１４ｙは、ピッチングアクチュエータ２９ｙが動作した際にコイルへ流れる電流値を検出する。【００３９】
動き検出部１７Ａは、ヨーイング角速度センサ１７ｘと、ピッチング角速度センサ１７ｙとを含む。角速度センサ１７ｘおよび１７ｙは、手ブレおよびその他の振動による撮像光学系Ｌを含む撮像装置自体の動きを検出するためのセンサであり、それぞれヨーイングおよびピッチングの２方向の動きを検出する。角速度センサ１７ｘ、１７ｙは、デジタルカメラ１が静止している状態での出力を基準とし、デジタルカメラ１の動く方向により正または負の角速度信号を出力する。出力された信号は、信号処理部３Ａにて処理される。【００４０】
信号処理部３Ａは、マイクロコンピュータ３と、Ａ／Ｄ変換部１８ｘ、１８ｙと、Ｄ／Ａ変換部１９ｘ、１９ｙとを含む。角速度センサ１７ｘ、１７ｙにより出力された信号は、フィルタ処理、アンプ処理等が施された後、Ａ／Ｄ変換部１８ｘ、１８ｙでデジタル信号に変換され、マイクロコンピュータ３に与えられる。マイクロコンピュータ３は、Ａ／Ｄ変換部１８ｘ、１８ｙを介して取り込んだ角速度センサ１７ｘ、１７ｙの出力信号に対して、フィルタリング、積分処理、位相補償、ゲイン調整、クリップ処理等の各処理を施す。これらの各処理を施すことにより、マイクロコンピュータ３は、動き補正に必要な補正レンズ群Ｌ２の駆動制御量を演算し、制御信号を生成する。生成された制御信号は、Ｄ／Ａ変換部１９ｘ、１９ｙを介して、ヨーイング駆動制御部１５ｘおよびピッチング駆動制御部１５ｙに出力される。これにより、ヨーイング駆動制御部１５ｘおよびピッチング駆動制御部１５ｙは、制御信号に基づき、補正レンズ群Ｌ２を駆動し、画像の動きを補正する。【００４１】
次に、本実施の形態に用いる像ブレ補正機構２０の構成について、図９を用いて説明する。図９において、像ブレ補正機構２０は、ピッチング保持枠２１と、ヨーイング保持枠２２と、固定枠２５と、ヨーイング用アクチュエータ２９ｘと、ピッチング用アクチュエータ２９ｙと、発光素子３０と、受光素子３１とを含む。【００４２】
ピッチング保持枠２１は、コイル２４ｘ、２４ｙを有する。第２レンズ群Ｌ２および発光素子３０は、ピッチング保持枠２１に固定されている。ピッチング保持枠２１は、２本のピッチングシャフト２３ａ、２３ｂを介して、ヨーイング保持枠２２に対し、Ｙ方向に摺動可能に保持される。【００４３】
ヨーイング保持枠２２は、ヨーイングシャフト２６ａ、２６ｂを介して、固定枠２５に対し、Ｘ方向に摺動可能に保持される。【００４４】
ヨーイング用アクチュエータ２９ｘは、マグネット２７ｘと、ヨーク２８ｘとを有し、固定枠２５に保持される。同様に、ピッチングアクチュエータ２９ｙは、マグネット２７ｙと、ヨーク２８ｙとを有し、固定枠２５に保持される。【００４５】
受光素子３１は、固定枠２５に固定され、発光素子３０の投射光を受光し、２次元の位置座標を検出する。【００４６】
次に、デジタルカメラ１による撮影処理について説明する。撮影を開始するために、まずユーザにより電源スイッチ３５がＯＮ側に操作される。その後、撮影／再生切換操作部３７が撮影モードに切換えられると、デジタルカメラ１は、撮影状態へ移行する。撮影状態へ移行すると、角速度センサ１７ｘ、１７ｙは、デジタルカメラ１に加わる手ブレや振動の検知を開始する。マイクロコンピュータ３は、ヨーイング駆動制御部１５ｘおよびピッチング駆動制御部１５ｙに対し、発生した手ブレ等を打ち消すための指令信号を与える。この指令信号に応じた電流は、ピッチング保持枠２１のコイル２４ｘ、２４ｙのそれぞれに供給される。ピッチング保持枠２１は、供給された電流とアクチュエータ２７ｘ、２７ｙにより形成された磁気回路により、光軸ＡＸと直交する２方向Ｘ、Ｙ平面内を移動する。また、ピッチング保持枠２１の位置検出は、受光素子３１を用いることにより高精度に行われる。すなわち、像ブレ補正機構２０により、第２レンズ群Ｌ２は、光軸と直交する平面内を移動する。このように、像ブレ補正機構２０は、撮像センサ４に入射する光の光軸を制御するので、像ブレを抑制した良好な画像を得ることができる。【００４７】
次に、撮影モードにおいて、ユーザは、表示部５５に表示されている画像を見ながらデジタルカメラ１の姿勢や向きを変化させ、主被写体に対する構図を決定する。そして、ユーザがシャッター操作部３６を半押し操作すると、露出を決定するための測光作業やＡＦ制御部９１による合焦位置の算出処理を開始する。ここで、主被写体に合焦する方法として多くの手段が提案されているが、例えば、画像のコントラストが最大となる位置を合焦位置とする方法を用いてもよい。以下、上記方法を用いた合焦位置の算出処理について説明する。【００４８】
まず、フォーカス制御モータ９２は、フォーカスレンズである第３レンズ群Ｌ３を光軸方向に動作させ、各測距領域Ｆａにおけるコントラスト値がそれぞれ最大となる第３レンズ群Ｌ３の位置を求める。コントラスト値は、マイクロコンピュータ３により、各測距領域Ｆａに対応する画像信号から明暗の変化を演算処理して得られる。次に、ＡＦ制御部９１は、各測距領域Ｆａのコントラスト値の大きさや、撮影画面上における測距領域Ｆａの配置位置に基づく重み付けなどから、主被写体に対する最適な合焦位置を算出する。そして、マイクロコンピュータ３およびＡＦ制御部９１は、算出した合焦位置に最も近い測距領域Ｆａを合焦領域と定め、かかる測距領域を表示部５５に合焦領域Ｆｄとして表示する。図４で示した例では、合焦領域Ｆｄは実線枠で示す測距領域ｃである。ユーザは、表示された合焦領域Ｆｄから、撮影画面上のいずれの領域に合焦しているのかを確認することができる。【００４９】
合焦領域Ｆｄが決定された後、ユーザが、表示部５５に表示された合焦領域枠Ｆｄに所望する主被写体が含まれていることを確認して、シャッター操作部３６を全押し操作すると、シャッター駆動モータ４２は、シャッターを開閉し、撮像センサ４上には、被写体像が露光される。そして、撮像センサ４により変換された画像信号は、上述した所定の処理が施された後、画像記録部１２に記録される。このとき、画像記録制御部１１は、撮影画像とともに合焦位置を示す合焦位置判別信号（合焦位置情報）を記録部１２に記録させる。図４で示した例において、合焦領域Ｆｄは測距領域ｃであるので、測距領域ｃであることを示す合焦位置判別信号が撮影画像とともに記録される。なお、合焦領域Ｆｄは１つに限らず、複数の測距領域であってもよい。以上により、撮影画像および合焦位置判別信号が記録されると一連の撮影処理は終了する。【００５０】
次に、撮影画像と文字情報とを印刷する処理について説明する。図１０は、印刷処理に関するフローチャートである。図１０において、まずユーザが撮影／再生切換操作部３７を再生モードに切換えた後、印刷すべき撮影画像を選択すると、デジタルカメラ１の処理はＳｔｅｐ２へ移行する。例えば、撮影画像は、図１１に示すように表示部５５に表示されたサムネイル画像の中から、ユーザが十字操作キー３８を操作して選択される。続くＳｔｅｐ２において、ユーザがＭＥＮＵ設定操作部３９を操作すると、表示部５５にはメニュー画面が表示される。メニュー画面は、印刷モードや撮影モード等の複数の処理モードから構成され、ユーザはいずれかのモードを選択することができる。メニュー画面が表示されると、処理はＳｔｅｐ３へ移行する。次に、Ｓｔｅｐ３では、メニュー画面から印刷モードが選択されたか否かを判別する。印刷モードが選択された場合には、デジタルカメラ１の処理はＳｔｅｐ４へ進む。一方、印刷モードが選択されない場合、表示部５５にはメニュー画面あるいは各処理モードに関するメニューが表示される。【００５１】
次に、Ｓｔｅｐ４において、表示部５５には印刷メニューが表示される。図１２は、表示部５５に表示された印刷メニューの一例を示す。図１２中、印刷メニューは、縮小画像表示部５６と、印刷枚数選択プルダウンメニュー５７と、印刷文字選択プルダウンメニュー５８と、文字入力画面選択アイコン５９と、プリント実行アイコン６０と、キャンセルアイコン６１とから構成され、ユーザは、十字操作キー３８を操作して各メニューを選択することができる。なお、縮小画像表示部５６に表示される縮小画像は、Ｓｔｅｐ１にてユーザが選択した画像の縮小画像である。続くＳｔｅｐ５において、マイクロコンピュータ３は、印刷メニューからユーザの選択を受け付ける。いずれかの印刷メニューが選択されると、デジタルカメラ１は、各印刷メニュー応じた処理へ移行する。【００５２】
印刷メニューのうち印刷枚数選択プルダウンメニュー５７が選択されると、印刷メニュー画面の一部には、印刷枚数の一覧がプルダウンメニューとして表示される。ユーザは、一覧表示された印刷枚数から、十字操作キー３８を操作して所望の印刷枚数を選択することができる。印刷枚数が選択されると、プルダウンメニューは閉じられ、選択された印刷枚数が印刷枚数選択プルダウンメニュー５７上に表示される（Ｓｔｅｐ６）。【００５３】
印刷メニューのうち印刷文字選択プルダウンメニュー５８が選択されると、印刷メニュー画面の一部には、あらかじめ印刷文字メモリ８０に記憶された数種類の文字列の一覧がプルダウンメニューとして表示される。印刷文字メモリ８０は、読み出し専用メモリであり、例えば、「こんにちは！」、「お元気ですか！」などの複数の文字列が記憶されている。表示された文字列の一覧から、ユーザは、撮影画像とともに印刷すべき文字列（以下、印刷文字という）を選択できる。印刷文字が選択されると、プルダウンメニューは閉じられ、印刷文字選択プルダウンメニュー５８上には印刷文字が表示される（Ｓｔｅｐ７）。例えば、図１２において、ユーザによって選択された印刷枚数は１枚であり、印刷文字は「こんにちは！」である。【００５４】
印刷メニューのうち文字入力画面選択アイコン５９が選択されると（Ｓｔｅｐ８）、表示部５５には、任意の文字の入力をユーザから受け付ける文字入力画面が表示される（Ｓｔｅｐ９）。文字の入力が完了すると、表示部５５には再び印刷メニューが表示される。【００５５】
印刷メニューのうちキャンセルアイコン６１が選択されると、印刷モードは終了し、表示部５５には再びメニュー画面が表示される（Ｓｔｅｐ１０）。また、印刷メニューのうちプリント実行アイコン６０が選択されると（Ｓｔｅｐ１１）、マイクロコンピュータ３は、印刷装置７４に対し印刷実行指令を送信し、印刷装置７４により印刷処理が実行される（Ｓｔｅｐ１２）。【００５６】
次に、印刷処理の詳細について説明する。図１３は、Ｓｔｅｐ１２の印刷処理を示すフローチャートである。プリント実行アイコン６０が選択されると、まずＳｔｅｐ２１において、マイクロコンピュータ３は、印刷メニューにおいて入力あるいは選択された印刷文字の有無を判定する。印刷文字が含まれる場合、処理はＳｔｅｐ２２に移行し、一方、印刷文字が含まれない場合には処理はＳｔｅｐ２３へ移行する。【００５７】
Ｓｔｅｐ２２において、マイクロコンピュータ３は、撮影画像における印刷文字の配置位置を決定する。ここで、印刷文字を配置する位置は、合焦位置判別信号に基づいて決定され、印刷文字は、合焦領域Ｆｄ以外の測距領域上に配置される。例えば、図４において、画像信号に付加された合焦位置判別信号が測距領域ｃを示す場合、合焦領域Ｆｄは測距領域ｃであるので、印刷文字は、被写体像と重複しない領域である、例えば、測距領域ｄに配置される。印刷文字の配置位置が決定されると、かかる配置位置を示すデータは、画像印刷制御部７１へ送られ、処理はＳｔｅｐ２３へ移行する。【００５８】
Ｓｔｅｐ２３において、画像印刷制御部７１は、撮影画像と印刷文字、印刷文字の配置位置、印刷枚数等を含む印刷データを生成する。続くＳｔｅｐ２４において、印刷データは、印刷データ出力部７２により印刷装置７４に出力される。さらに、Ｓｔｅｐ２５において、印刷装置７４は、受信した印刷データに基づいて、撮影画像と印刷文字とを含む合成画像を指定された印刷枚数分の用紙に印刷する。次に、Ｓｔｅｐ２６において、マイクロコンピュータ３は、所定の印刷枚数の印刷が完了したか否かを判定し、完了した場合には印刷処理を終了し、表示部５５に再びメニュー画面を表示させる。【００５９】
図１４は、印刷装置７４により印刷された合成画像の一例である。なお、図１４では、説明のために合成画像とともに各測距領域が表示されているが、実際に印刷される画像には各測距領域は表示されない。図１４において、印刷文字は、合焦位置判別信号に基づいて撮影画像の合焦領域以外の位置に配置されて用紙６２に印刷される。ここで、合焦領域は測距領域ｃであるので、印刷文字６３は、測距領域ｃに対して対角線上に位置する測距領域ｇに配置される。このように、印刷文字６３は被写体像１０２と重複しない位置に配置されるので、視認性のよい合成画像の印刷が可能である。また、ユーザは印刷文字の配置を調整する作業を行う必要がなく、合成画像を容易にかつ効率よく印刷でき、利便性が高い。【００６０】
また、本実施の形態に係るデジタルカメラ１は、視認性のよい合成画像を印刷するだけでなく、かかる合成画像を表示部５５に表示することも可能である。画像表示制御部１３は、印刷文字を合焦位置判別信号に基づいて配置し、合成画像を表示部５５に表示させる。したがって、ユーザは、撮影画像と印刷文字とが重ならないように印刷文字を配置する作業を行う必要がない。また、印刷開始前に印刷すべき合成画像を表示部に表示させて確認することができるので、印刷の失敗を防ぐことができる。なお、合成画像は、印刷実行前に表示される場合に限られず印刷実行中や実行後に表示してもよい。【００６１】
以上のように、実施の形態１に係るデジタルカメラは、合焦位置を示す情報を撮影画像とともに記録する。そして、印刷文字は被写体の位置を考慮して配置されるので、視認性のよい合成画像を印刷することができる。また、ユーザは、印刷文字を配置する位置を調整する必要がないので、合成画像を容易にかつ効率的に印刷することができ、利便性が高い。【００６２】
また、実施の形態１に係るデジタルカメラは、被写体の位置を考慮して印刷文字を配置するので、視認性のよい合成画像を表示部に表示することができる。【００６３】
なお、本実施の形態において、撮影画像とともに印刷すべき印刷文字は、印刷処理の際にユーザが印刷メニューにて選択あるいは入力したが、これに限られない。例えば、印刷すべき印刷文字は、撮影画像を含む画像ファイルのヘッダ部あるいはフッタ部に格納されてもよい。あるいは、印刷すべき文字列が格納された文書ファイルと画像ファイルとを関連付けて管理してもよい。【００６４】
また、複数の被写体を同時に撮影する場合には、合焦位置は一箇所に限らず、複数個所であってもよい。この場合、印刷文字あるいは画像は、複数の合焦位置と重ならないように表示あるいは印刷される。【００６５】
また、測距領域および合焦領域については、表示部５５に、必ずしも表示させる必要はない。また、表示部５５に測距領域および合焦領域を表示させる場合であっても、印刷時には測距領域および合焦領域の枠を印刷しないようにしてもよい。【００６６】
（実施の形態２）
次に、実施の形態２に係るデジタルカメラ１００について説明する。本実施の形態に係るデジタルカメラ１００は、実施の形態１に係るデジタルカメラ１とほぼ同様の構成を備えるが、さらに撮影時のデジタルカメラの姿勢を判別する点で異なる。本実施の形態では、デジタルカメラ１と同様の構成要素については同一の符号を付し、実施の形態１と異なる点を中心に説明する。【００６７】
本実施の形態において、像ブレ補正機構２０は像ブレを防止する役割とともに、デジタルカメラ１００の姿勢検出手段としても併用することができる。図１５は、像ブレ補正機構２０の姿勢を示しており、図１５Ａは、横撮り姿勢の撮影における像ブレ補正機構２０の姿勢を示し、図１５Ｂは、縦撮り姿勢の撮影における像ブレ補正機構２０の姿勢を示す。【００６８】
図１５Ａにおいて、横撮り姿勢の場合、第２レンズ群Ｌ２と、ピッチング保持枠２１と、コイル２４ｘ、２４ｙと、ヨーイング保持枠２２とを含むそれぞれの重さは、重力方向であるＹ方向へ作用する。このとき、第２レンズ群Ｌ２は、適切な像を得るために光軸中心に保持される必要がある。そのため、第２レンズ群Ｌ２の自重分を支持するための電磁力の発生が必要である。したがって、必要とする電磁力を発生させるために電流値Ｉｙ１がコイル２４ｙに供給される。一方、Ｘ方向については、第２レンズ群Ｌ２を光軸中心に保持するための自重分を考慮する必要がないため、コイル２４ｘへ供給される電流値Ｉｘ２は、コイル２４ｙへ供給される電流値Ｉｙ１と比較して小さい値となる。【００６９】
図１５Ｂは、光軸を中心として横撮り姿勢から９０°回転させた縦撮り姿勢における像ブレ補正機構２０の姿勢を示している。第２レンズ群Ｌ２と、ピッチング保持枠２１と、コイル２４ｘ、２４ｙと、ヨーイング保持枠２２とを含むそれぞれの重さは、重力方向であるＸ方向へ作用する。このとき、第２レンズ群Ｌ２は、光軸中心に保持される必要がある。そのため、Ｘ方向に関して、第２レンズ群Ｌ２の自重分に加えて、ヨーイング保持枠２２の自重分を支持するための電磁力の発生が必要となる。したがって、必要とする電磁力を発生させるために、電流値Ｉｘ１がコイル２４ｘへ供給される。電流値Ｉｘ１は、ヨーイング保持枠２２の自重分を考慮すると、横撮り姿勢においてコイル２４ｙに供給される電流値Ｉｙ１と比較して大きい値となる。一方、Ｙ方向に関して、第２レンズ群Ｌ２を光軸中心に保持するための自重分を考慮する必要がないため、コイル２４ｙへ供給される電流値Ｉｙ２は、コイル２４ｘへ供給される電流値Ｉｘ１と比較して小さい値となる。【００７０】
以上から、コイル２４ｘ、２４ｙに流れる電流値は、デジタルカメラ１の撮影姿勢により定まる。すなわち、像ブレ補正機構２０およびデジタルカメラ１００の撮影姿勢は、コイルに流れる電流値を検出することにより判断することができる。したがって、像ブレ補正機構２０は、像ブレを防止する役割とともに、デジタルカメラ１の姿勢検出手段としても併用することができる。【００７１】
次に、本実施の形態に係るデジタルカメラ１００の動作について説明する。図１６は、撮影姿勢別のコイル供給電流量を示す図であり、図１７は撮影姿勢別の姿勢判別信号を示す。ここで、横撮りの姿勢におけるデジタルカメラ１の姿勢を基準とし、そのときの角度を０°とする。また、縦撮りの姿勢におけるデジタルカメラ１の姿勢は、横撮り姿勢から光軸を中心として９０°回転させた姿勢となる。【００７２】
ユーザが横撮り姿勢で撮影する場合、図１６に示すようにヨーイング電流値検出部１４ｘおよびピッチング電流値検出部１４ｙは、像ブレ補正機構２０のコイル２４ｘに流れる電流値Ｉｘ２およびコイル２４ｙに流れる電流値Ｉｙ１をそれぞれ検出する。かかる電流値から、マイクロコンピュータ３は、デジタルカメラ１の姿勢を横撮り姿勢として判別する。そして、横撮り姿勢にてユーザがシャッター操作部３６を操作すると、撮影が行われ、画像信号は画像記録部１２に記録される。このとき、画像記録制御部１１は、デジタルカメラ１の撮影姿勢が横撮り姿勢（角度は０°）であったことを示す姿勢判別信号７０（０）を、バッファメモリ９から出力される画像信号に付加する。かかる姿勢判別信号７０は、例えば、画像信号のヘッダあるいはフッタ部分に記録される。なお、姿勢判別信号７０を記録するタイミングは、バッファメモリ９あるいは画像記録部１２内のいずれにおいて行ってもよい。【００７３】
一方、ユーザが縦撮り姿勢で撮影する場合、図１６に示すようにヨーイング電流値検出部１４ｘおよびピッチング電流値検出部１４ｙは、像ブレ補正機構２０のコイル２４ｘに流れる電流値Ｉｘ１およびコイル２４ｙに流れる電流値Ｉｙ２を検出する。かかる電流値により、マイクロコンピュータ３は、デジタルカメラ１の姿勢を縦撮り姿勢として判別する。そして、縦撮り姿勢にてユーザがシャッター操作部３６を操作すると、撮影処理が行われ、画像信号は画像記録部１２に記録される。このとき、画像記録制御部１１は、デジタルカメラ１の撮影姿勢が光軸を中心として横撮り姿勢から９０°回転した縦撮り姿勢であったことを示す姿勢判別信号７０（１）を、バッファメモリ９から出力される画像信号に付加する。このように、本実施の形態に係るデジタルカメラ１００は、撮影時の姿勢に応じた姿勢判別信号７０を画像信号と対応付けて記録する。【００７４】
また、実施の形態１と同様に画像信号には合焦位置を示す合焦位置判別信号が付加される。図１８は、撮影時における表示部５５の表示例を示す。実施の形態１と同様に、ＡＦ制御部９１は、各測距領域Ｆａのコントラスト値の大きさや撮影画面上における測距領域Ｆａの配置位置に基づく重み付けなどから、被写体に対する最適な合焦位置を算出する。例えば、図１８Ａに示すように、横撮り姿勢で撮影する場合、合焦領域Ｆｄは、測距領域ｃに設定され、測距領域cを示す合焦位置判別信号が画像信号に付加される。また、例えば、図１８Ｂに示す縦撮り姿勢で撮影する場合、合焦領域Ｆｄは測距領域ｄに設定され、測距領域ｄを示す合焦位置判別信号が画像信号に付加される。なお、縦撮り姿勢にて撮影される場合、９点の測距領域のうち６点の測距領域のコントラスト値を求め、合焦領域Ｆｄを決定する。これは、縦撮り姿勢では、被写体と地面を含む構図により撮影される頻度が高いので、地面に合焦領域Ｆｄが設定されることのないようにするためである。【００７５】
次に、撮影画像の表示処理について説明する。図１９は、撮影画像の表示例を示す。上述のように、画像信号には、合焦位置判別信号に加えて、撮影時のデジタルカメラ１００の姿勢を示す姿勢判別信号７０が付加されている。これにより、画像表示制御部１３は、姿勢判別信号７０に応じた表示処理を行う。すなわち、画像表示制御部１３は、横撮り姿勢にて撮影された画像については、横長画像として表示部５５に表示する。一方、画像表示制御部１３は、縦撮り姿勢にて撮影された画像については、撮影画像の姿勢を９０°回転させて縦長画像として表示部５５に表示する。このように、画像表示制御部１３は、画像信号に付加された姿勢判別信号７０に応じて、撮影画像の天地方向を撮影時の撮影姿勢に復元して表示するので、視認性のよい表示が可能である。【００７６】
図２０は、表示部５５に表示される印刷メニューの一例を示す。図２０に示す印刷メニューは、実施の形態１における印刷メニューとほぼ同様であるが、縮小画像表示部５６に表示される撮影画像の天地方向を撮影時のデジタルカメラ１００の姿勢に復元して表示する点で異なる。したがって、印刷メニューにおいても視認性のよい撮影画像を表示することができる。【００７７】
図２１は、撮影画像の印刷処理に関するフローチャートを示す。図２１に示すフローチャートは、図１３とほぼ同様であるが、さらに印刷文字の天地方向を設定可能である点で異なる。【００７８】
図２２は、印刷装置７４により印刷された合成画像の一例である。なお、図２２では、説明のために合成画像とともに測距領域を表示しているが、実際に印刷される画像には測距領域は表示されない。図２２Ａは、横長画像の印刷例、図２２Ｂは、縦長画像の印刷例を示す。図２２に示すように、印刷文字は撮影画像の合焦領域以外の位置に撮影画像と等しい天地方向で配置されて用紙６２上に合成画像が印刷される。例えば、図２２Ａにおいて、合焦領域Ｆｄは測距領域ｃであるので、印刷文字は測距領域ｃに対して対角線上に位置する測距領域ｇに配置される。また、例えば、図２２Ｂにおいて、合焦領域Ｆｄは測距領域ｆであるので、印刷文字は測距領域ｄに配置される。【００７９】
以上のように、本実施の形態に係るデジタルカメラは、実施の形態１の効果に加えて、印刷文字を撮影画像の天地方向と等しい方向に配置するので、さらに視認性を向上させた合成画像を印刷することができる。また、ユーザは撮影画像または印刷文字を回転させる作業を行う必要がないので、容易にかつ効率よく合成画像を印刷することができ、利便性が高い。【００８０】
また、本実施の形態に係るデジタルカメラは、像ブレ補正機構により撮影時の撮影姿勢を検出することができるので、新たな構成を加えることなく、撮影姿勢の判別が可能であり、簡易な構成とすることができる。【００８１】
（実施の形態３）
図２３は、実施の形態３に係るデジタルカメラ３００の概略構成を示すブロック図である。デジタルカメラ３００は、実施の形態１に係るデジタルカメラ１とほぼ同様の構成を備えるが、さらにＧＰＳ（Global Positioning System）を備える点で異なる。ＧＰＳは、ＧＰＳ制御部４５とＧＰＳモジュール４６とを含み、人工衛星からの信号により地球上での位置を特定することができる。これにより、ＧＰＳにより得られる位置情報を撮影画像とともに表示あるいは印刷することができる。本実施の形態では、実施の形態１および２と同一の構成要素については同一の符号を付し、実施の形態１および２と異なる点を中心に説明する。【００８２】
ＧＰＳ部は、ＧＰＳ制御部４５とＧＰＳモジュール４６とから構成される。ＧＰＳ制御部４５は、ＧＰＳ部全体を制御する。ＧＰＳモジュール４６は、ＧＰＳ制御部４５による指令信号により、衛星からの信号を図示しないＧＰＳアンテナにより受信し、受信信号を復調および解読する。そして、復調された信号に基づいて、緯度・経度や高度を含む位置情報を算出する。なお、地名データメモリ８１には、都道府県名や都市名などの特定の場所と、それらの緯度・経度とを対応させた地名データが記憶されている。【００８３】
マイクロコンピュータ３は、撮影画像が記録された後、撮影画像に対応する撮影位置情報を取得するためにＧＰＳ制御部４５に指令を送る。指令を受けたＧＰＳ制御部４５は、ＧＰＳモジュール４６を動作させて位置情報を取得する。マイクロコンピュータ３は、得られた位置情報に対応する地名を地名データメモリ８１から検索し、画像ファイルに記録する。かかる位置情報は、画像ファイルのヘッダ部あるいはフッタ部に記録される。例えば、撮影場所が沖縄である場合、画像ファイルのヘッダ部あるいはフッタ部には、ＧＰＳ部によって取得した緯度・経度と地名データメモリ８１に基づいて沖縄の地名が記録される。なお、取得した緯度・経度に対応する地名が存在しない場合には、緯度・経度を位置情報として記録してもよいし、あるいは地名データメモリ８１に記憶された地名のうち最も近接する地名を記録してもよい。このように、本実施の形態に係るデジタルカメラ３００は、撮影画像とともに撮影場所に関する情報を記録することができる。【００８４】
図２４は、印刷装置７４により印刷された合成画像の一例を示す。本実施の形態における印刷処理は、実施の形態２とほぼ同様に行われるが、図１２の印刷メニューにおいてユーザが選択あるいは入力した印刷文字の代わりに地名あるいは緯度・経度を示す文字列が印刷される点で異なる。このとき、図２２に示すように、かかる文字列は、被写体像と重複しない位置に撮影画像と等しい天地方向で配置される。例えば、撮影場所が沖縄である場合には、印刷文字として「沖縄にて」が表示される。【００８５】
以上のように、実施の形態３に係るデジタルカメラは、ＧＰＳ部を備えているので撮影場所を示す文字列を撮影画像とともに印刷することができ、付加価値が高い。また、撮影場所を示す文字列は、被写体の撮影画面のおける位置と撮影画像の天地方向とを考慮して配置されるので、視認性のよい合成画像を印刷することができる。【００８６】
なお、本実施の形態において、デジタルカメラは、ＧＰＳにより得られる緯度・経度に対応する地名を地名データメモリから検索したが、これに限られない。例えば、ＦＭ受信部を備え、ＦＭ電波により得られる地名データから対応する地名を検索してもよい。【００８７】
なお、本実施の形態において、ユーザが印刷メニューにおいて選択あるいは入力した文字列に代えて地名や緯度・経度を印刷文字としたが、これに限られない。印刷メニューにおいて選択・入力された文字列と地名や緯度・経度の両方を撮影画像とともに印刷あるいは表示してもよい。【００８８】
なお、実施の形態１〜３に係るデジタルカメラは、画像印刷制御部を備えたが、これに限られない。画像印刷制御部は印刷装置に備えられてもよい。かかる場合、印刷装置は、デジタルカメラから撮影画像、合焦位置判別信号、姿勢判別信号等を受信して印刷データを生成する。【００８９】
なお、実施の形態１〜３に係るデジタルカメラは、表示部を備えたが、これに限られない。表示部は印刷装置に備えられてもよい。これにより、簡易な構成としたデジタルカメラにすることができる。また、合成画像および印刷メニューは、デジタルカメラに接続された外部のモニタに表示されてもよい。【００９０】
なお、実施の形態１〜３において、印刷文字は、合焦領域以外の位置に配置されたが、これに限られない。例えば、印刷文字は青空などの輝度分布が一様となる位置に配置されてもよい。かかる場合、印刷文字の色を背景色に応じて変化させてもよい。例えば、背景色が青色の場合には印刷文字の色を青の補色である黄色とすることにより、印刷文字を目立たせることができる。【００９１】
なお、実施の形態１〜３に係るデジタルカメラは、静止画像の印刷および表示を行ったが、これに限られない。本発明は、動画像を表示する場合についても適用できる。例えば、動画像中の被写体像と重複しない位置に字幕、コメントなどのテロップを表示することができ、視認性のよい動画像を表示することができる。【００９２】
なお、実施の形態１〜３に係るデジタルカメラは、入力された文字列と撮影画像との合成画像を印刷する構成としたが、これに限られない。例えば、あらかじめ決められた文字が画像として撮影時に直接撮影画像に入力されてもよい。【００９３】
なお、実施の形態１〜３に係るデジタルカメラは、適切な合焦位置を算出するために９点の測距領域を用いたが、その数に限定されるものではない。例えば、測距領域をさらに多く設定することにより、より正確な合焦位置を算出できる。また、例えば、測距領域をさらに少なく設定することにより、信号処理の負担を軽減でき、より早く合焦位置を算出できる。【００９４】
なお、実施の形態２および実施の形態３に係るデジタルカメラは、あらかじめ記録部にカレンダー等の雛型を画像として記録してもよく、雛型と撮影画像との合成画像を印刷あるいは表示してもよい。ユーザは撮影画像と雛型の天地方向を等しくするために回転処理を行う必要がないので、利便性の高いデジタルカメラを提供することができる。【００９５】
なお、実施の形態２および実施の形態３に係るデジタルカメラは、像ブレ補正機構を用いてデジタルカメラの姿勢を検出する際、デジタルカメラの姿勢によっては、ヨーイング方向のコイルおよびピッチング方向のコイルへ供給される電流が等しくなる場合がある。例えば、デジタルカメラの光軸方向と重力方向とが平行になる姿勢にて撮影された場合や、デジタルカメラの光軸方向と重力方向とが直交する姿勢において、光軸を中心に所定の範囲を回転させて撮影された場合が考えられる。このように、像ブレ補正装置によっては姿勢検出を行うことができない場合については、横撮り姿勢により撮影されたものとして、画像信号には姿勢判別信号７０（０）が付加されてもよい。また、あるいは、縦撮り姿勢にて撮影されたものとして姿勢判別信号７０（１）が付加されてもよい。【００９６】
なお、実施の形態２および実施の形態３に係るデジタルカメラは、ピッチングおよびヨーイング電流値検出部の両方の電流値を検出することにより撮影時のデジタルカメラの姿勢を判断したが、これに限られない。撮影時のデジタルカメラの姿勢は、ピッチングおよびヨーイング電流検出部のうち少なくとも一方の電流値を検出することにより撮影時のデジタルカメラの姿勢を特定してもよい。ただし、本実施の形態で説明したように、ピッチングもしくはヨーイング電流値検出部のどちらか一方の電流値検出部に異常が生じた場合、両方の電流値を検出することで、より正確な撮影姿勢を判断することができる。【００９７】
なお、実施の形態２および実施の形態３に係るデジタルカメラは、撮影時のデジタルカメラの姿勢をピッチングおよびヨーイング電流値検出部の電流値を検出することにより判断したが、これに限られない。例えば、電圧値を測定してデジタルカメラの姿勢を判断してもよい。【００９８】
なお、実施の形態１〜３に係るデジタルカメラは、ＵＳＢケーブルを用いて印刷装置と接続されたが、これに限られない。例えば、ＩＥＥＥ１３９４シリアルバス用ケーブルや、無線ＬＡＮ等の無線を用いて接続してもよい。また、例えば、印刷データをリムーバブルメモリに記録し、リムーバブルメモリから印刷データを読み取り可能な印刷装置により印刷されてもよい。【００９９】
なお、実施の形態２および実施の形態３に係るデジタルカメラは、１つのシャッター操作部を備えたが、これに限られない。例えば、横撮り姿勢で撮影するシャッター操作部と、縦撮り姿勢で撮影するシャッター操作部とをそれぞれ単独で搭載し、操作されたシャッター操作部を検知してデジタルカメラの姿勢を判断してもよい。【０１００】
なお、実施の形態２および実施の形態３において、横撮り姿勢の場合を０°とし、光軸を中心に９０°回転させた姿勢を縦撮り姿勢としたが、これに限られない。例えば、デジタルカメラの姿勢を横撮り姿勢を０°とした場合、−９０°回転させた姿勢を縦撮り姿勢と判別してもよい。また、−９０°回転させた姿勢にて撮影された場合には、画像信号に姿勢判別信号７０（２）を付加してもよい。これにより、デジタルカメラは、横姿勢が１種類、縦姿勢が２種類の合計３種類の姿勢を検出することができる。【０１０１】
なお、実施の形態２および実施の形態３に係るデジタルカメラは、姿勢判別信号７０として（０）または（１）の信号を付加する方法を用いたが、これに限られない。また、デジタルカメラは、撮影画像を記録したファイルと、姿勢判別信号や合焦位置判別信号、印刷文字を記録したファイルとを対応させて管理してもよい。【０１０２】
なお、実施の形態２および実施の形態３において、姿勢検出手段として像ブレ補正機構を用いた例を示したが、これに限られない。例えば、デジタルカメラに角度センサや回転検出装置等を取り付けることにより、デジタルカメラの姿勢を検出してもよい。【０１０３】
なお、実施の形態１〜３において、デジタルカメラと印刷装置とは別構成としたが、これに限られない。デジタルカメラに印刷装置を含む一体型の構成としても同様の効果を得ることができる。【０１０４】
なお、実施の形態１〜３において、印刷システムに含まれる各構成要素同士は、任意の組み合わせが可能である。例えば、撮像光学系および撮像センサ、姿勢検出部と、その他の構成が物理的に分離された複数の装置からなるシステムとしてもよく、各構成要素の組み合わせは、これに限られない。【０１０５】
なお、実施の形態１〜３において、デジタルカメラは、撮影画像を記録する記録部を備えたが、これに限られない。例えば、ハードディスクを備え、デジタルカメラとの接続にケーブルを必要としない、撮影画像の記録または集積が可能なクレードルを用いてもよい。また、印刷装置を制御する装置は、例えば、撮影画像を大量に保存することができるハードディスク等を備えた撮像光学系を有しないデータストレージであってもよく、かかるデータストレージに表示部と画像印刷制御部を設ければ、デジタルカメラと同様な使い方ができる。【０１０６】
（実施の形態４）
本実施の形態では、記録部に記録された撮影画像を読み出した後に文字情報を配置する方法について図５、図６、図１２を参照して説明する。【０１０７】
図５は、図３で示したデジタルカメラ１の制御ブロック図について要部のみを抜き出した図である。図６は、デジタルカメラ１と印刷装置７４の概略構成図である。図６に示すように、デジタルカメラ１と印刷装置７４とは、ＵＳＢケーブル７３を用いて接続される。図５中、画像印刷制御部７１は、マイクロコンピュータ３からの制御信号により制御され、外部に接続された印刷装置７４に送信するための印刷データを生成する。ここで、印刷データには、例えば、撮影画像、撮影画像とともに印刷する文字情報、文字情報の配置位置と天地方向、印刷枚数等の印刷に関する各種データが含まれる。印刷データ出力部７２は、画像印刷制御部７１の指令に基づいて、ＵＳＢケーブル７３を介して印刷データを印刷装置７４の記録部に出力する。印刷装置７４は、転送された印刷データおよび印刷指令に基づいて、撮影画像と印刷文字との合成画像を用紙に印刷する。【０１０８】
ユーザが、画像記録部１２に記録された撮影画像を表示部５５に表示させ、任意の撮影画像を選択する。例えば、選択された撮影画像は、図１２の縮小画像表示部５６に示される画像である。ここで、ユーザは、印刷枚数選択プルダウンメニュー５７で１枚と選択し、印刷文字選択プルダウンメニュー５８で「こんにちは！」を選択し、プリント実行アイコン６０を操作すると、撮影画像に文字情報が自動的に配置され、印刷データが印刷装置７４に出力される。【０１０９】
このとき、印刷データ出力部７２は、画像記録部１２から画像信号を読み出す読み出し部と、読み出した画像信号から被写体の顔（顔位置を含む）を検出する顔検出部を含むように構成されている。そして、印刷データ出力部７２は、ユーザにより撮影画像の印刷が指示された場合、画像記録部１２から画像信号を読み出し、読み出した画像信号から被写体の顔を検出し、撮影画面上の顔と異なる位置に文字情報を配置して、撮影画像と文字情報とを含む印刷データを生成する。印刷データ出力部７２は、印刷装置７４に印刷データを出力する。印刷装置７４は、印刷データ出力部から受け取った印刷データに基づき、撮影画像と印刷文字との合成画像を用紙に印刷する。なお、マイクロコンピュータ３は、顔検出部で検出された顔位置を示す顔位置情報を読み出した画像信号と対応付けて、記録部に記録させるように制御してもよい。このとき、印刷データ出力部７２は、画像信号と顔位置情報とを画像記録部１２へ出力する出力部をさらに含むように構成されている。このように構成することにより、記録部は、顔位置情報に対応付けされないで記録された画像信号に顔位置情報を対応付けして記録することができる。また、顔検出部は、画像記録制御部１１に含まれるように構成してもよい。このように構成することにより、画像記録部１２は、撮影時に得た画像信号に顔位置情報を対応付けして記録することができる。【０１１０】
なお、顔検出方法としては、撮影画像から輪郭情報を検出し、検出された輪郭内に特徴点（目、鼻、口等）が存在するかを検出する方法がある。顔検出部は、検出された輪郭内に特徴点が存在する場合、顔と判断する。印刷データ出力部７２は、顔と判断した輪郭部分と異なる位置に文字情報を配置する。これにより、撮像装置は、顔以外の位置に文字情報を配置することができる。【０１１１】
（他の変形例）
また、撮影画像と一緒に表示、あるいは印刷されるものは、文字列に限らず、絵文字、ロゴ、すかし文字など（以下、絵文字等という）６４でもよい。また、この絵文字等６４は、撮影画像が記録された季節、あるいは場所により、最適な絵文字等（例えば、図２５に示すように、海であれば、ヨットの絵文字）が自動的に選択されるようにしてもよい。【０１１２】
また、図２６に示すように、撮影画像と一緒に表示、あるいは印刷されるものは、文字列に限らず、飾り枠６５であってもよい。この場合には、合焦位置（顔の位置）にウインドウ枠６６が設けられ、その他の部分に飾り枠６５が表示、あるいは印刷される。また、複数の被写体の場合には、複数のウインドウ枠が設けられる。ウインドウ枠６６については、合焦位置を中心に、所定の大きさにて、自動的に設定されるようにすればよい。【０１１３】
また、カメラ機能付きの携帯電話端末のように、撮像装置に送信装置を設けて、絵文字等が合成された撮影画像を送信できるようにしてもよい。この場合には、撮影画像のファイルサイズを自動的に圧縮して、送信時間の短縮等ができるようにしてもよい。【０１１４】
なお、絵文字等の画像については、上述した各実施の形態１〜４において文字情報に対して行われる各種処理が適用可能である。【０１１５】
本発明の目的の１つは、以下の構成を備えた撮像装置によって達成される。被写体の光学的な像を電気的な画像信号として出力し、接続された印刷装置に転送可能な撮像装置であって、被写体の光学的な像を形成する撮像光学系と、形成された光学的な像を受光し、光学的な像を電気的な画像信号に変換する撮像センサと、被写体に対する合焦位置を検出する合焦位置検出部と、画像信号と合焦位置を示す合焦位置情報とを対応付けて記録する記録部と、画像信号に基づく撮影画面上の合焦位置と異なる位置に文字列を含む文字情報を配置し、撮影画像と文字情報とを含む印刷データを生成する印刷データ生成部とを備える。【０１１６】
本発明の目的の１つは、以下の構成を備えた印刷システムによって達成される。撮像装置と印刷装置とを相互に接続可能な印刷システムであって、撮像装置は、被写体の光学的な像を形成する撮像光学系と、形成された光学的な像を受光し、光学的な像を電気的な画像信号に変換する撮像センサと、被写体に対する合焦位置を検出する合焦位置検出部と、画像信号と合焦位置を示す合焦位置情報とを対応付けて記録する記録部と、画像信号に基づく撮影画面上の合焦位置と異なる位置に文字列を含む文字情報を配置し、撮影画像と文字情報とを含む印刷データを生成する印刷データ生成部と、生成された印刷データを出力する印刷データ出力部とを備え、印刷装置は、出力された印刷データを受信して印刷する印刷部を備える。【０１１７】
本発明の目的の１つは、以下の構成を備えた印刷装置によって達成される。画像信号と合焦位置を示す合焦位置情報とを読み出し可能な印刷装置であって、画像信号と合焦位置情報とを読み出す読み出し部と、画像信号に基づく撮影画面上の合焦位置と異なる位置に文字列を含む文字情報を配置し、撮影画像と文字情報とを含む印刷データを生成する印刷データ生成部と、生成された印刷データに基づいて印刷する印刷部とを備える。【０１１８】
本発明の目的の１つは、以下の構成を備えた印刷方法によって達成される。相互に接続された撮像装置と印刷装置とを用いた印刷方法であって、画像信号と合焦位置を示す合焦位置情報とを読み出す読み出しステップと、画像信号に基づく撮影画面上の合焦位置と異なる位置に文字列を含む文字情報を配置し、撮影画像と文字情報とを含む印刷データを生成する印刷データ生成ステップと、生成された印刷データに基づいて印刷する印刷ステップとを備える。【０１１９】
２００６年２月２０日出願の特願２００６−０４３００２の日本出願に含まれる明細書、図面および要約書の開示内容は、すべて本願に援用される。
【産業上の利用可能性】
【０１２０】
本発明の撮像装置および印刷装置は、撮影画像の印刷方法に関し、快適な印刷表示が要望されている、デジタルスチルカメラ、デジタルビデオカメラ、カメラ機能付きの携帯電話端末およびＰＤＡなどに適用することができる。
【図１】
2007097271.tif 000003
【図２】
2007097271.tif 000004
【図３】
2007097271.tif 000005
【図４】
2007097271.tif 000006
【図５】
2007097271.tif 000007
【図６】
2007097271.tif 000008
【図７】
2007097271.tif 000009
【図８】
2007097271.tif 000010
【図９】
2007097271.tif 000011
【図１０】
2007097271.tif 000012
【図１１】
2007097271.tif 000013
【図１２】
2007097271.tif 000014
【図１３】
2007097271.tif 000015
【図１４】
2007097271.tif 000016
【図１５】
2007097271.tif 000017
【図１６】
2007097271.tif 000018
【図１７】
2007097271.tif 000019
【図１８】
2007097271.tif 000020
【図１９】
2007097271.tif 000021
【図２０】
2007097271.tif 000022
【図２１】
2007097271.tif 000023
【図２２】
2007097271.tif 000024
【図２３】
2007097271.tif 000025
【図２４】
2007097271.tif 000026
【図２５】
2007097271.tif 000027
【図２６】
2007097271.tif 000028
【手続補正書】
【提出日】平成20年8月14日(2008.8.14)
【手続補正１】
【補正対象書類名】特許請求の範囲
【補正対象項目名】全文
【補正方法】変更
【補正の内容】
【特許請求の範囲】
【請求項１】
被写体の光学的な像を受光し、前記光学的な像を電気的な画像信号に変換する撮像センサと、
前記画像信号から、撮影画面上の特定領域を検出する領域検出部と、
前記画像信号と前記検出された特定領域の位置情報とを対応付けて記録させる制御部と、
を備える撮像装置。
【請求項２】
前記制御部は、
前記画像信号と前記検出された特定領域の位置情報とを対応付けて内部メモリに記録させる、
請求項１に記載の撮像装置。
【請求項３】
前記制御部は、
前記画像信号と前記検出された特定領域の位置情報とを対応付けて着脱可能なメモリに記録させる、
請求項１に記載の撮像装置。
【請求項４】
被写体の光学的な像を受光し、前記光学的な像を電気的な画像信号に変換する撮像センサと、
前記画像信号から、撮影画面上の前記被写体に対する合焦位置を検出する合焦位置検出部と、
前記画像信号と前記検出された合焦位置を示す合焦位置情報とを対応付けて記録させる制御部と、
を備える撮像装置。
【請求項５】
前記撮影画面上の前記合焦位置と異なる位置に文字情報または画像を配置して、前記画像信号に対応する撮影画像と前記文字情報または画像とを含む印刷データを生成する印刷データ生成部、
をさらに備える、請求項４に記載の撮像装置。
【請求項６】
前記合焦位置検出部は、
前記撮影画面上に設定された複数の測距領域における合焦状態を検出し、当該検出結果に基づいて前記複数の測距領域のうち少なくとも１つの合焦すべき測距領域を選択する合焦領域選択部を含み、
前記印刷データ生成部は、
前記撮影画面上の前記選択された測距領域と異なる領域に前記文字情報または画像を配置して、前記印刷データを生成する、
請求項５に記載の撮像装置。
【請求項７】
複数の文字情報または複数の画像を記録する記録部と、
前記記録された複数の文字情報または複数の画像からユーザの選択を受け付ける受付部と、をさらに備え、
前記印刷データ生成部は、
前記選択された文字情報または画像を前記撮影画面上の前記合焦位置と異なる位置に配置して、前記印刷データを生成する、
請求項５に記載の撮像装置。
【請求項８】
文字情報または画像を入力可能な入力部、をさらに備え、
前記印刷データ生成部は、
前記入力された文字情報または画像を前記撮影画面上の前記合焦位置と異なる位置に配置して、前記印刷データを生成する、
請求項５に記載の撮像装置。
【請求項９】
前記撮像装置の撮影時の姿勢を検出する姿勢検出部、をさらに備え、
前記制御部は、
さらに、前記画像信号と前記検出された姿勢を示す姿勢情報とを対応付けて記録させ、
前記印刷データ生成部は、
さらに、前記姿勢情報に基づいて前記撮影画像の天地方向と等しい方向に前記文字情報または画像を配置して、前記印刷データを生成する、
請求項５に記載の撮像装置。
【請求項１０】
光軸と直交する方向に移動する補正レンズを含み、被写体の光学的な像を形成する撮像光学系と、
前記撮像装置に加わる振動を検知して前記補正レンズを駆動させる像ブレ補正部と、をさらに備え、
前記姿勢検出部は、
前記補正レンズを駆動させるための信号に基づいて前記撮像装置の撮影時の姿勢を検出する、
請求項９に記載の撮像装置。
【請求項１１】
前記像ブレ補正部は、
前記補正レンズを光軸と直交する２方向に駆動させるための第１および第２のアクチュエータを含み、
前記姿勢検出部は、
前記第１または／および第２のアクチュエータを駆動させる駆動電流に基づいて前記撮像装置の撮影時の姿勢を検出する、
請求項１０に記載の撮像装置。
【請求項１２】
前記撮影画像および前記文字情報または画像を表示する表示部と、
前記文字情報または画像を、前記撮影画面上の前記合焦位置と異なる位置に、前記姿勢情報に基づいて前記撮影画像の天地方向と等しい方向に配置して、前記表示部に表示させる表示制御部と、
をさらに備える、請求項９に記載の撮像装置。
【請求項１３】
外部からの信号を受信し、当該信号に基づいて緯度および／または経度を含む位置情報を取得する位置取得部、をさらに備え、
前記文字情報は、前記撮像装置の撮影時の位置情報を含む、
請求項５に記載の撮像装置。
【請求項１４】
緯度および／または経度を含む位置情報と地名とが対応付けられた地名データを記憶する地名データ記憶部と、
前記取得した撮影時の位置情報に対応する地名を前記地名データ記憶部から検索する地名検索部と、をさらに備え、
前記文字情報は、前記検索された撮影時の地名を含む、
請求項１３に記載の撮像装置。
【請求項１５】
前記合焦位置は、前記被写体の顔位置である、請求項４に記載の撮像装置。
【請求項１６】
撮像装置と印刷装置とを相互に接続可能な印刷システムであって、
前記撮像装置は、
被写体の光学的な像を受光し、前記光学的な像を電気的な画像信号に変換する撮像センサと、
前記画像信号から、撮影画面上の前記被写体に対する合焦位置を検出する合焦位置検出部と、
前記画像信号と前記検出された合焦位置を示す合焦位置情報とを対応付けて記録させる制御部と、
前記撮影画面上の前記合焦位置と異なる位置に文字情報または画像を配置して、前記画像信号に対応する撮影画像と前記文字情報または画像とを含む印刷データを生成する印刷データ生成部と、
前記生成された印刷データを出力する印刷データ出力部と、を備え、
前記印刷装置は、
前記出力された印刷データを受信して印刷を行う印刷部、を備える、
印刷システム。
【請求項１７】
前記撮像装置は、
前記撮像装置の撮影時の姿勢を検出する姿勢検出部、をさらに備え、
前記制御部は、
さらに、前記画像信号と前記検出された姿勢を示す姿勢情報とを対応付けて記録させ、
前記印刷データ生成部は、
さらに、前記姿勢情報に基づいて前記撮影画像の天地方向と等しい方向に前記文字情報または画像を配置して、前記印刷データを生成する、
請求項１６に記載の印刷システム。
【請求項１８】
前記撮像装置は、
前記撮影画像および前記文字情報または画像を表示する表示部と、
前記文字情報または画像を、前記撮影画面上の前記合焦位置と異なる位置に、前記姿勢情報に基づいて前記撮影画像の天地方向と等しい方向に配置して、前記表示部に表示させる表示制御部と、
をさらに備える、請求項１７に記載の印刷システム。
【請求項１９】
被写体の光学的な像を電気的に変換して得られた画像信号と、撮影画面上の前記被写体に対する合焦位置を示す合焦位置情報とを取得する取得部と、
前記撮影画面上の前記合焦位置と異なる位置に文字情報または画像を配置して、前記画像信号に対応する撮影画像と前記文字情報または画像とを含む印刷データを生成する印刷データ生成部と、
前記生成された印刷データに基づいて印刷を行う印刷部と、
を備える印刷装置。
【請求項２０】
被写体の光学的な像を電気的に変換して得られた画像信号と、撮影画面上の前記被写体に対する合焦位置を示す合焦位置情報とを取得する取得ステップと、
前記撮影画面上の前記合焦位置と異なる位置に文字情報または画像を配置して、前記画像信号に対応する撮影画像と前記文字情報または画像とを含む印刷データを生成する印刷データ生成ステップと、
前記生成された印刷データに基づいて印刷を行う印刷ステップと、
を備える印刷方法。
【請求項２１】
前記取得ステップは、
さらに、撮像装置の撮影時の姿勢を示す姿勢情報を取得し、
前記印刷データ生成ステップは、
さらに、前記姿勢情報に基づいて前記撮影画像の天地方向と等しい方向に前記文字情報または画像を配置して、前記印刷データを生成する、
請求項２０に記載の印刷方法。
【請求項２２】
被写体の光学的な像を受光し、前記光学的な像を電気的な画像信号に変換する撮像センサと、
前記画像信号から、撮影画面上の前記被写体の顔位置を検出し、または、記録部から読み出された画像信号から、撮影画面上の被写体の顔位置を検出する顔位置検出部と、
前記画像信号と前記検出された顔位置を示す顔位置情報とを対応付けて記録させる制御部と、
を備える撮像装置。
【請求項２３】
前記撮影画面上の前記顔位置と異なる位置に文字情報または画像を配置して、前記画像信号に対応する撮影画像と前記文字情報または画像とを含む印刷データを生成する印刷データ生成部、
をさらに備える、請求項２２に記載の撮像装置。
【手続補正２】
【補正対象書類名】明細書
【補正対象項目名】全文
【補正方法】変更
【補正の内容】
【発明の詳細な説明】
【技術分野】
【０００１】
本発明は、撮影画像を印刷する方法に関し、より特定的には撮影画像の印刷処理を制御する撮像装置、印刷装置、印刷システムおよび印刷方法に関する。
【背景技術】
【０００２】
近年、ＣＣＤ（Charge Coupled Device）やＣＭＯＳ（Complementary Metal-Oxide Semiconductor）技術の進歩により撮像センサの信号処理能力が向上している。また、撮像センサを安価に提供できるようになったため、被写体の光学的な像を電気的な画像信号に変換して、パーソナルコンピュータに画像信号を出力可能なデジタルスチルカメラやデジタルビデオカメラ（以下、単にデジタルカメラという）が急速に普及している。
【０００３】
一般的に、デジタルカメラにより撮影された画像を印刷するには、まずデジタルカメラに記録された撮影画像をパーソナルコンピュータに取り込む必要がある。そして、パーソナルコンピュータに接続された印刷装置は、印刷指令を受けて撮影画像を用紙上に印刷する。
【０００４】
しかしながら、ユーザはパーソナルコンピュータを操作して、撮影画像を取り込み、印刷する必要がある。そのため、パーソナルコンピュータに馴染みのないユーザにとっては撮影画像を印刷することは容易ではない。また、印刷作業を行うためには、パーソナルコンピュータに撮影画像を取り込むためのソフトウェアや撮影画像を印刷装置に出力するためのソフトウェアが導入されている必要がある。
【０００５】
これに対し、パーソナルコンピュータを介することなくデジタルカメラと直接接続することのできる印刷装置が提案されている（特許文献１）。これにより、ユーザはパーソナルコンピュータを操作する必要がないので、パーソナルコンピュータに馴染みのないユーザであっても、撮影画像を容易に印刷することができる。また、特許文献１に記載の印刷装置は、あらかじめカレンダーや絵葉書等の雛型を記録しており、雛型に撮影画像を配置した合成画像を印刷することができる。
【０００６】
一方、撮影の日付と時刻、シャッタースピード、絞り値等の撮影データに関する付加情報を撮影画像とともに記録するカメラが提案されている。例えば、特許文献２に記載のカメラは、付加情報として画像が撮影された場所を示す情報を記録することができる。すなわち、特許文献２に記載のカメラは、人工衛星からの電波により地球上での位置を特定するＧＰＳ（Global Positioning System）を備えており、ＧＰＳによって得られた位置情報を撮影画像とともに表示する。
【特許文献１】特開平１０−１０７９８１号公報
【特許文献２】特開２０００−１９６９３３号公報
【発明の開示】
【発明が解決しようとする課題】
【０００７】
デジタルカメラの普及に伴い、近年では撮影画像だけでなく、撮影画像に多くの文字情報が付加された画像を容易にかつ効率よく印刷したいという要望が高まりつつある。しかしながら、特許文献１に記載された印刷装置は、使用する雛型に合わせてユーザが撮影画像の配置位置を調整する必要があるので、利便性が悪いという問題があった。
【０００８】
また、特許文献２に記載されたカメラは、撮影時の位置情報を撮影画像とともに表示する。しかしながら、特許文献２のカメラは撮影画面における被写体の位置を考慮せずに位
置情報を配置するので、被写体と位置情報とが重なった合成画像が表示される場合があり、視認性が悪いという問題があった。
【０００９】
さらに、従来のデジタルカメラは、撮影時のデジタルカメラの天地方向に関わらず、一定の天地方向で撮影画像を記録していた。図１は、デジタルカメラの姿勢と表示部に表示される撮影画像との関係を示す。図１に示すように、ユーザは撮影意図に応じ、デジタルカメラ５００の姿勢を変化させて撮影を行う。例えば、図１Ａに示すように、横長画像として撮影する場合には、ユーザはデジタルカメラ５００の姿勢を横状態として撮影を行う。そして、デジタルカメラ５００の姿勢を横方向にして撮影画像を確認する場合、表示部に表示される撮影画像の天地方向は、撮影時のデジタルカメラの天地方向と一致する。
【００１０】
一方、図１Ｂに示すように縦長画像として撮影する場合には、ユーザはデジタルカメラ５００の姿勢を縦状態として撮影を行う。そして、図１Ｃに示すように、デジタルカメラ５００の姿勢を横方向にして撮影画像を確認する場合、表示部に表示される撮影画像の天地方向は、撮影時のデジタルカメラの天地方向と一致せず、視認性が悪いという問題があった。以下、図１Ａに示すように、シャッターボタンのストローク方向と重力方向とが平行になる場合のデジタルカメラ５００の姿勢を横撮り姿勢という。一方、図１Ｂに示すように、シャッターボタンのストローク方向と重力方向とが直交する場合のデジタルカメラ５００の姿勢を縦撮り姿勢という。また、横撮り姿勢にて撮影された画像を、以下、横撮り画像といい、縦撮り姿勢にて撮影された画像を縦撮り画像という。
【００１１】
また、撮影画像とともに位置情報を表示する特許文献２に記載のカメラは、撮影時のデジタルカメラの天地方向に関わらず、撮影画像を一定の天地方向で記録する。そのため、位置情報を示す文字列が撮影画像と異なる天地方向で表示される場合がある。図２は、特許文献２に記載されたカメラにおける撮影画像と位置情報の合成画像の表示例である。図２Ａは、横撮り姿勢にて撮影された場合の表示例、図２Ｂは、縦撮り姿勢にて撮影された場合の表示例である。図２Ｂに示すように、特許文献２に記載のカメラは、位置情報を示す文字列５２０を撮影画像５１０上の所定の位置および天地方向で配置する。このように、撮影画像の天地方向と文字列の天地方向は一致しないので、ユーザにとって視認性の悪いという問題があった。
【００１２】
本発明の目的は、印刷文字と撮影画像とを含む合成画像を快適に表示しまたは印刷することを可能にすることができる撮像装置、印刷装置、印刷システムおよび印刷方法を提供することである。
【課題を解決するための手段】
【００１３】
本発明の撮像装置は、被写体の光学的な像を受光し、前記光学的な像を電気的な画像信号に変換する撮像センサと、前記画像信号から、撮影画面上の特定領域を検出する領域検出部と、前記画像信号と前記検出された特定領域の位置情報とを対応付けて記録させる制御部と、を備える構成を採る。
【００１４】
本発明の撮像装置は、被写体の光学的な像を受光し、前記光学的な像を電気的な画像信号に変換する撮像センサと、前記画像信号から、撮影画面上の前記被写体に対する合焦位置を検出する合焦位置検出部と、前記画像信号と前記検出された合焦位置を示す合焦位置情報とを対応付けて記録させる制御部と、を備える構成を採る。
【００１５】
本発明の撮像装置は、被写体の光学的な像を受光し、前記光学的な像を電気的な画像信号に変換する撮像センサと、前記画像信号から、撮影画面上の前記被写体の顔位置を検出し、または、記録部から読み出された画像信号から、撮影画面上の被写体の顔位置を検出する顔位置検出部と、前記画像信号と前記検出された顔位置を示す顔位置情報とを対応付
けて記録させる制御部と、を備える構成を採る。
【００１６】
本発明の印刷システムは、撮像装置と印刷装置とを相互に接続可能な印刷システムであって、前記撮像装置は、被写体の光学的な像を受光し、前記光学的な像を電気的な画像信号に変換する撮像センサと、前記画像信号から、撮影画面上の前記被写体に対する合焦位置を検出する合焦位置検出部と、前記画像信号と前記検出された合焦位置を示す合焦位置情報とを対応付けて記録させる制御部と、前記撮影画面上の前記合焦位置と異なる位置に文字情報または画像を配置して、前記画像信号に対応する撮影画像と前記文字情報または画像とを含む印刷データを生成する印刷データ生成部と、前記生成された印刷データを出力する印刷データ出力部と、を備え、前記印刷装置は、前記出力された印刷データを受信して印刷を行う印刷部、を備える構成を採る。
【００１７】
本発明の印刷装置は、被写体の光学的な像を電気的に変換して得られた画像信号と、撮影画面上の前記被写体に対する合焦位置を示す合焦位置情報とを取得する取得部と、前記撮影画面上の前記合焦位置と異なる位置に文字情報または画像を配置して、前記画像信号に対応する撮影画像と前記文字情報または画像とを含む印刷データを生成する印刷データ生成部と、前記生成された印刷データに基づいて印刷を行う印刷部と、を備える構成を採る。
【００１８】
本発明の印刷方法は、被写体の光学的な像を電気的に変換して得られた画像信号と、撮影画面上の前記被写体に対する合焦位置を示す合焦位置情報とを取得する取得ステップと、前記撮影画面上の前記合焦位置と異なる位置に文字情報または画像を配置して、前記画像信号に対応する撮影画像と前記文字情報または画像とを含む印刷データを生成する印刷データ生成ステップと、前記生成された印刷データに基づいて印刷を行う印刷ステップと、を備えるようにした。
【発明の効果】
【００１９】
本発明によれば、印刷文字と撮影画像とを含む合成画像を快適に表示しまたは印刷することを可能にすることができる。
【発明を実施するための最良の形態】
【００２０】
（実施の形態１）
図３は、実施の形態１に係るデジタルカメラ１の概略構成を示すブロック図である。デジタルカメラ１は、撮像光学系Ｌと、マイクロコンピュータ３と、撮像センサ４と、ＣＣＤ駆動制御部５と、アナログ信号処理部６と、Ａ／Ｄ変換部７と、デジタル信号処理部８と、バッファメモリ９と、画像圧縮部１０と、画像記録制御部１１と、画像記録部１２と、画像表示制御部１３と、ＡＦ制御部９１と、表示部５５と、シャッター制御部４１と、シャッター駆動モータ４２と、画像印刷制御部７１と、印刷データ出力部７２と、印刷文字メモリ８０とを中心に構成される。
【００２１】
撮像光学系Ｌは、３つのレンズ群Ｌ１、Ｌ２、Ｌ３を含む光学系である。第１レンズ群Ｌ１および第２レンズ群Ｌ２は、光軸方向に移動することによりズーミングを行う。ここで第２レンズ群Ｌ２は、補正レンズ群であって、光軸に垂直な面内を移動することにより光軸を偏心させて画像の動きを補正する。また第３レンズ群Ｌ３は、光軸方向に移動することによりフォーカシングを行う。なお、撮像光学系Ｌは、上記の光学系の構成に限るものではない。
【００２２】
機械的な振動や撮影者による揺れ等がデジタルカメラ１に加わると、被写体からレンズに向かって照射される光の光軸はレンズの光軸とずれて、不鮮明な画像が形成される。そこで、デジタルカメラ１は不鮮明な画像が形成されるのを防止するために像ブレ補正機構２０を備えている。なお、像ブレ補正機構２０の詳細な構成については後述する。
【００２３】
マイクロコンピュータ３は、デジタルカメラ１全体を制御する。また、マイクロコンピュータ３は、電源スイッチ３５、シャッター操作部３６、撮影／再生切換操作部３７、十字操作キー３８、ＭＥＮＵ設定操作部３９およびＳＥＴ操作部４０の信号を、それぞれ受信可能である。
【００２４】
シャッター操作部３６は、撮影の際に撮影者によって操作される、例えば、レリーズボタンである。シャッター操作部３６が操作されると、タイミング信号がマイクロコンピュータ３に出力される。なお、シャッター操作部３６は半押し操作と全押し操作が可能な二段式の押下スイッチであり、ユーザによる半押し操作により合焦調整が行われ、全押し操作によりタイミング信号が出力される。シャッター制御部４１は、タイミング信号を受信したマイクロコンピュータ３から出力される制御信号にしたがって、シャッター駆動モー
タ４２を駆動し、シャッターを動作させる。
【００２５】
撮像センサ４は、撮影光学系Ｌにより形成される光学的な像を電気的な信号に変換する、例えば、ＣＣＤである。撮像センサ４は、ＣＣＤ駆動制御部５により駆動制御される。なお、撮像センサ４はＣＭＯＳでもよい。
【００２６】
撮像センサ４から出力された画像信号は、アナログ信号処理部６から、Ａ／Ｄ変換部７、デジタル信号処理部８、バッファメモリ９、画像圧縮部１０へと、順次送られて処理される。アナログ信号処理部６は、撮像センサ４から出力される画像信号にガンマ処理等のアナログ信号処理を施す。Ａ／Ｄ変換部７は、アナログ信号処理部６から出力されたアナログ信号をデジタル信号に変換する。デジタル信号処理部８は、Ａ／Ｄ変換部７によりデジタル信号に変換された画像信号に対してノイズ除去や輪郭強調、後述するアスペクト比切換処理等のデジタル信号処理を施す。バッファメモリ９は、ＲＡＭ（Random Access Memory）であり、デジタル信号処理部８により処理された画像信号を一旦記憶する。
【００２７】
さらに、バッファメモリ９に記憶された画像信号は、画像圧縮部１０から画像記録部１２へと、順次送られて処理される。バッファメモリ９に記憶された画像信号は、画像記録制御部１１の指令により読み出されて、画像圧縮部１０に送信される。画像圧縮部１０に送信された画像信号のデータは、所定の比率で圧縮されて、そのデータサイズが小さくなる。かかる圧縮方法として、例えば、ＪＰＥＧ（Joint Photographic Experts Group）方式が用いられる。また同時に、画像圧縮部１０は、サムネイル表示等に用いられる撮影画像に対応した縮小画像信号を生成する。その後、圧縮された画像信号は、画像記録部１２へ送信される。
【００２８】
画像記録部１２は、画像記録制御部１１の指令に基づいて、画像信号と、対応する縮小画像信号と、記録すべき所定の情報とを関連付けて記録する、例えば、内部メモリおよび／又は着脱可能なリムーバブルメモリである。なお、画像信号とともに記録すべき所定の情報は、画像を撮影した際の日時と、焦点距離情報と、シャッタースピード情報と、絞り値情報と、撮影モード情報と、後述するデジタルカメラ１の姿勢情報とを含む、例えば、Ｅｘｉｆ（登録商標）形式やＥｘｉｆ（登録商標）形式に類する形式である。
【００２９】
画像表示制御部１３は、マイクロコンピュータ３からの制御信号により制御される。さらに、画像表示制御部１３は、かかる制御信号に基づいて表示部５５に画像記録部１２あるいはバッファメモリ９に格納された画像信号を可視画像として表示させる。ここで、表示部５５の表示形態としては、画像信号のみを可視画像として表示する表示形態と、画像信号と撮影時の情報とを可視画像として表示する表示形態とがある。
【００３０】
ＡＦ制御部９１は、フォーカス制御モータ９２を介して、第３レンズ群Ｌ３を光軸ＡＸ方向に駆動させて合焦調整を行う。本実施の形態に係るデジタルカメラ１は、演算処理の負担を軽減する観点から、あらかじめ９点の測距領域Ｆａが設定されている。ＡＦ制御部９１は、各測距領域Ｆａにおける合焦状態を検出し、主被写体に対する最適な合焦位置を算出する。図４は、デジタルカメラ１に設定された測距領域Ｆａの一例であり、撮影画面上の所定の位置に合計９点の測距領域Ｆａが設定される。なお、図４に示す測距領域の数は一例であり、これに限られない。例えば、各測距領域の数および面積を小さくすることにより、合焦調整を行うための演算処理を軽減することができる。また、測距領域の数を増加させることにより、合焦位置をさらに精度よく検出することができる。通常、人物を撮影する場合、図１４、図１８、図２２に示されるように合焦位置は、顔である。
【００３１】
図５は、図３で示したデジタルカメラ１の制御ブロック図について要部のみを抜き出した図である。図６は、デジタルカメラ１と印刷装置７４の概略構成図である。図６に示す
ように、デジタルカメラ１と印刷装置７４とは、ＵＳＢ（Universal Serial Bus）ケーブル７３を用いて接続される。図５中、画像印刷制御部７１は、マイクロコンピュータ３からの制御信号により制御され、外部に接続された印刷装置７４に送信するための印刷データを生成する。ここで、印刷データには、例えば、撮影画像、撮影画像とともに印刷する文字情報、文字情報の配置位置と天地方向、印刷枚数等の印刷に関する各種データが含まれる。印刷データ出力部７２は、画像印刷制御部７１の指令に基づいて、ＵＳＢケーブル７３を介して印刷データを印刷装置７４の記録部に出力する。印刷装置７４は、転送された印刷データおよび印刷指令に基づいて、撮影画像と印刷文字との合成画像を用紙に印刷する。
【００３２】
次に、実施の形態１に係るデジタルカメラ１の構成について、図７を用いて説明する。図７Ａは、デジタルカメラ１の上面図であり、図７Ｂは、デジタルカメラ１の背面図である。
【００３３】
筐体１ａは、前面にレンズ鏡筒２を含む撮像光学系を備え、背面に電源スイッチ３５と、撮影／再生切換操作部３７と、十字操作キー３８と、ＭＥＮＵ設定操作部３９と、ＳＥＴ操作部４０と、液晶モニタからなる表示部５５とを含む。さらに、筐体１ａの上面は、シャッター操作部３６と、ズーム操作部９５とを備える。
【００３４】
ズーム操作部９５は、シャッター操作部３６と同軸に回動可能となるように、シャッター操作部３６の周囲に設けられている。電源スイッチ３５は、デジタルカメラ１の電源のＯＮ／ＯＦＦを行う操作部材である。撮影／再生切換操作部３７は、撮影モードと再生モードの切換えを行う操作部材であり、レバーを回動させることにより切換えられる。また、撮影モードに切換えられた状態でズーム操作部９５を右方向へ回動させると、撮影光学系Ｌは、望遠側へ切換えられる。一方、ズーム操作部９５を左方向へ回動させると、撮影光学系Ｌは、広角側へ切換えられる。
【００３５】
ＭＥＮＵ設定操作部３９は、表示部５５に各種メニューを表示させるための操作部材である。十字操作キー３８は、ＭＥＮＵ設定操作部３９の操作により表示部５５に表示された各種操作メニューから、上下左右の部位を押圧して選択するための操作部材である。十字操作キー３８により各種操作メニューが選択されると、マイクロコンピュータ３は、選択されたメニューに応じた実行指令を出す。ＳＥＴ操作部４０は、各種操作メニューの表示を表示前の状態に戻すための操作部材である。
【００３６】
次に、図８を用いて像ブレ補正機構の制御システムについて説明する。図８において、像ブレ補正機構２０は、動き補正部１５Ａと、撮影姿勢検出部１４Ａと、動き検出部１７Ａと、信号処理部３Ａとを備える。動き補正部１５Ａは、第２レンズ群Ｌ２と、ヨーイング駆動制御部１５ｘと、ピッチング駆動制御部１５ｙと、位置検出部１６とを含み、撮像光の光軸を制御する。第２レンズ群Ｌ２は、光軸ＡＸに垂直な面内を移動することにより、光軸ＡＸを偏心させ、画像の動きを補正する役割を果たす補正レンズ群である。第２レンズ群Ｌ２は、ヨーイング駆動制御部１５ｘおよびピッチング駆動制御部１５ｙにより、光軸ＡＸに直交する２方向ＸおよびＹ方向に駆動制御される。以下、Ｘ方向をヨーイング方向、Ｙ方向をピッチング方向とする。位置検出部１６は、第２レンズ群Ｌ２の位置を検出する検出手段であり、ヨーイング駆動制御部１５ｘおよびピッチング駆動制御部１５ｙとともに、第２レンズ群Ｌ２を制御するための帰還制御ループを形成する。
【００３７】
撮影姿勢検出部１４Ａは、ヨーイング電流値検出部１４ｘと、ピッチング電流値検出部１４ｙとを含む。ヨーイング電流値検出部１４ｘは、後述するヨーイングアクチュエータ２９ｘが動作した際にコイルへ流れる電流値を検出する。同様に、ピッチング電流値検出部１４ｙは、ピッチングアクチュエータ２９ｙが動作した際にコイルへ流れる電流値を検
出する。
【００３８】
動き検出部１７Ａは、ヨーイング角速度センサ１７ｘと、ピッチング角速度センサ１７ｙとを含む。角速度センサ１７ｘおよび１７ｙは、手ブレおよびその他の振動による撮像光学系Ｌを含む撮像装置自体の動きを検出するためのセンサであり、それぞれヨーイングおよびピッチングの２方向の動きを検出する。角速度センサ１７ｘ、１７ｙは、デジタルカメラ１が静止している状態での出力を基準とし、デジタルカメラ１の動く方向により正または負の角速度信号を出力する。出力された信号は、信号処理部３Ａにて処理される。
【００３９】
信号処理部３Ａは、マイクロコンピュータ３と、Ａ／Ｄ変換部１８ｘ、１８ｙと、Ｄ／Ａ変換部１９ｘ、１９ｙとを含む。角速度センサ１７ｘ、１７ｙにより出力された信号は、フィルタ処理、アンプ処理等が施された後、Ａ／Ｄ変換部１８ｘ、１８ｙでデジタル信号に変換され、マイクロコンピュータ３に与えられる。マイクロコンピュータ３は、Ａ／Ｄ変換部１８ｘ、１８ｙを介して取り込んだ角速度センサ１７ｘ、１７ｙの出力信号に対して、フィルタリング、積分処理、位相補償、ゲイン調整、クリップ処理等の各処理を施す。これらの各処理を施すことにより、マイクロコンピュータ３は、動き補正に必要な補正レンズ群Ｌ２の駆動制御量を演算し、制御信号を生成する。生成された制御信号は、Ｄ／Ａ変換部１９ｘ、１９ｙを介して、ヨーイング駆動制御部１５ｘおよびピッチング駆動制御部１５ｙに出力される。これにより、ヨーイング駆動制御部１５ｘおよびピッチング駆動制御部１５ｙは、制御信号に基づき、補正レンズ群Ｌ２を駆動し、画像の動きを補正する。
【００４０】
次に、本実施の形態に用いる像ブレ補正機構２０の構成について、図９を用いて説明する。図９において、像ブレ補正機構２０は、ピッチング保持枠２１と、ヨーイング保持枠２２と、固定枠２５と、ヨーイング用アクチュエータ２９ｘと、ピッチング用アクチュエータ２９ｙと、発光素子３０と、受光素子３１とを含む。
【００４１】
ピッチング保持枠２１は、コイル２４ｘ、２４ｙを有する。第２レンズ群Ｌ２および発光素子３０は、ピッチング保持枠２１に固定されている。ピッチング保持枠２１は、２本のピッチングシャフト２３ａ、２３ｂを介して、ヨーイング保持枠２２に対し、Ｙ方向に摺動可能に保持される。
【００４２】
ヨーイング保持枠２２は、ヨーイングシャフト２６ａ、２６ｂを介して、固定枠２５に対し、Ｘ方向に摺動可能に保持される。
【００４３】
ヨーイング用アクチュエータ２９ｘは、マグネット２７ｘと、ヨーク２８ｘとを有し、固定枠２５に保持される。同様に、ピッチングアクチュエータ２９ｙは、マグネット２７ｙと、ヨーク２８ｙとを有し、固定枠２５に保持される。
【００４４】
受光素子３１は、固定枠２５に固定され、発光素子３０の投射光を受光し、２次元の位置座標を検出する。
【００４５】
次に、デジタルカメラ１による撮影処理について説明する。撮影を開始するために、まずユーザにより電源スイッチ３５がＯＮ側に操作される。その後、撮影／再生切換操作部３７が撮影モードに切換えられると、デジタルカメラ１は、撮影状態へ移行する。撮影状態へ移行すると、角速度センサ１７ｘ、１７ｙは、デジタルカメラ１に加わる手ブレや振動の検知を開始する。マイクロコンピュータ３は、ヨーイング駆動制御部１５ｘおよびピッチング駆動制御部１５ｙに対し、発生した手ブレ等を打ち消すための指令信号を与える。この指令信号に応じた電流は、ピッチング保持枠２１のコイル２４ｘ、２４ｙのそれぞれに供給される。ピッチング保持枠２１は、供給された電流とアクチュエータ２７ｘ、２
７ｙにより形成された磁気回路により、光軸ＡＸと直交する２方向Ｘ、Ｙ平面内を移動する。また、ピッチング保持枠２１の位置検出は、受光素子３１を用いることにより高精度に行われる。すなわち、像ブレ補正機構２０により、第２レンズ群Ｌ２は、光軸と直交する平面内を移動する。このように、像ブレ補正機構２０は、撮像センサ４に入射する光の光軸を制御するので、像ブレを抑制した良好な画像を得ることができる。
【００４６】
次に、撮影モードにおいて、ユーザは、表示部５５に表示されている画像を見ながらデジタルカメラ１の姿勢や向きを変化させ、主被写体に対する構図を決定する。そして、ユーザがシャッター操作部３６を半押し操作すると、露出を決定するための測光作業やＡＦ制御部９１による合焦位置の算出処理を開始する。ここで、主被写体に合焦する方法として多くの手段が提案されているが、例えば、画像のコントラストが最大となる位置を合焦位置とする方法を用いてもよい。以下、上記方法を用いた合焦位置の算出処理について説明する。
【００４７】
まず、フォーカス制御モータ９２は、フォーカスレンズである第３レンズ群Ｌ３を光軸方向に動作させ、各測距領域Ｆａにおけるコントラスト値がそれぞれ最大となる第３レンズ群Ｌ３の位置を求める。コントラスト値は、マイクロコンピュータ３により、各測距領域Ｆａに対応する画像信号から明暗の変化を演算処理して得られる。次に、ＡＦ制御部９１は、各測距領域Ｆａのコントラスト値の大きさや、撮影画面上における測距領域Ｆａの配置位置に基づく重み付けなどから、主被写体に対する最適な合焦位置を算出する。そして、マイクロコンピュータ３およびＡＦ制御部９１は、算出した合焦位置に最も近い測距領域Ｆａを合焦領域と定め、かかる測距領域を表示部５５に合焦領域Ｆｄとして表示する。図４で示した例では、合焦領域Ｆｄは実線枠で示す測距領域ｃである。ユーザは、表示された合焦領域Ｆｄから、撮影画面上のいずれの領域に合焦しているのかを確認することができる。
【００４８】
合焦領域Ｆｄが決定された後、ユーザが、表示部５５に表示された合焦領域枠Ｆｄに所望する主被写体が含まれていることを確認して、シャッター操作部３６を全押し操作すると、シャッター駆動モータ４２は、シャッターを開閉し、撮像センサ４上には、被写体像が露光される。そして、撮像センサ４により変換された画像信号は、上述した所定の処理が施された後、画像記録部１２に記録される。このとき、画像記録制御部１１は、撮影画像とともに合焦位置を示す合焦位置判別信号（合焦位置情報）を記録部１２に記録させる。図４で示した例において、合焦領域Ｆｄは測距領域ｃであるので、測距領域ｃであることを示す合焦位置判別信号が撮影画像とともに記録される。なお、合焦領域Ｆｄは１つに限らず、複数の測距領域であってもよい。以上により、撮影画像および合焦位置判別信号が記録されると一連の撮影処理は終了する。
【００４９】
次に、撮影画像と文字情報とを印刷する処理について説明する。図１０は、印刷処理に関するフローチャートである。図１０において、まずユーザが撮影／再生切換操作部３７を再生モードに切換えた後、印刷すべき撮影画像を選択すると、デジタルカメラ１の処理はＳｔｅｐ２へ移行する。例えば、撮影画像は、図１１に示すように表示部５５に表示されたサムネイル画像の中から、ユーザが十字操作キー３８を操作して選択される。続くＳｔｅｐ２において、ユーザがＭＥＮＵ設定操作部３９を操作すると、表示部５５にはメニュー画面が表示される。メニュー画面は、印刷モードや撮影モード等の複数の処理モードから構成され、ユーザはいずれかのモードを選択することができる。メニュー画面が表示されると、処理はＳｔｅｐ３へ移行する。次に、Ｓｔｅｐ３では、メニュー画面から印刷モードが選択されたか否かを判別する。印刷モードが選択された場合には、デジタルカメラ１の処理はＳｔｅｐ４へ進む。一方、印刷モードが選択されない場合、表示部５５にはメニュー画面あるいは各処理モードに関するメニューが表示される。
【００５０】
次に、Ｓｔｅｐ４において、表示部５５には印刷メニューが表示される。図１２は、表示部５５に表示された印刷メニューの一例を示す。図１２中、印刷メニューは、縮小画像表示部５６と、印刷枚数選択プルダウンメニュー５７と、印刷文字選択プルダウンメニュー５８と、文字入力画面選択アイコン５９と、プリント実行アイコン６０と、キャンセルアイコン６１とから構成され、ユーザは、十字操作キー３８を操作して各メニューを選択することができる。なお、縮小画像表示部５６に表示される縮小画像は、Ｓｔｅｐ１にてユーザが選択した画像の縮小画像である。続くＳｔｅｐ５において、マイクロコンピュータ３は、印刷メニューからユーザの選択を受け付ける。いずれかの印刷メニューが選択されると、デジタルカメラ１は、各印刷メニュー応じた処理へ移行する。
【００５１】
印刷メニューのうち印刷枚数選択プルダウンメニュー５７が選択されると、印刷メニュー画面の一部には、印刷枚数の一覧がプルダウンメニューとして表示される。ユーザは、一覧表示された印刷枚数から、十字操作キー３８を操作して所望の印刷枚数を選択することができる。印刷枚数が選択されると、プルダウンメニューは閉じられ、選択された印刷枚数が印刷枚数選択プルダウンメニュー５７上に表示される（Ｓｔｅｐ６）。
【００５２】
印刷メニューのうち印刷文字選択プルダウンメニュー５８が選択されると、印刷メニュー画面の一部には、あらかじめ印刷文字メモリ８０に記憶された数種類の文字列の一覧がプルダウンメニューとして表示される。印刷文字メモリ８０は、読み出し専用メモリであり、例えば、「こんにちは！」、「お元気ですか！」などの複数の文字列が記憶されている。表示された文字列の一覧から、ユーザは、撮影画像とともに印刷すべき文字列（以下、印刷文字という）を選択できる。印刷文字が選択されると、プルダウンメニューは閉じられ、印刷文字選択プルダウンメニュー５８上には印刷文字が表示される（Ｓｔｅｐ７）。例えば、図１２において、ユーザによって選択された印刷枚数は１枚であり、印刷文字は「こんにちは！」である。
【００５３】
印刷メニューのうち文字入力画面選択アイコン５９が選択されると（Ｓｔｅｐ８）、表示部５５には、任意の文字の入力をユーザから受け付ける文字入力画面が表示される（Ｓｔｅｐ９）。文字の入力が完了すると、表示部５５には再び印刷メニューが表示される。
【００５４】
印刷メニューのうちキャンセルアイコン６１が選択されると、印刷モードは終了し、表示部５５には再びメニュー画面が表示される（Ｓｔｅｐ１０）。また、印刷メニューのうちプリント実行アイコン６０が選択されると（Ｓｔｅｐ１１）、マイクロコンピュータ３は、印刷装置７４に対し印刷実行指令を送信し、印刷装置７４により印刷処理が実行される（Ｓｔｅｐ１２）。
【００５５】
次に、印刷処理の詳細について説明する。図１３は、Ｓｔｅｐ１２の印刷処理を示すフローチャートである。プリント実行アイコン６０が選択されると、まずＳｔｅｐ２１において、マイクロコンピュータ３は、印刷メニューにおいて入力あるいは選択された印刷文字の有無を判定する。印刷文字が含まれる場合、処理はＳｔｅｐ２２に移行し、一方、印刷文字が含まれない場合には処理はＳｔｅｐ２３へ移行する。
【００５６】
Ｓｔｅｐ２２において、マイクロコンピュータ３は、撮影画像における印刷文字の配置位置を決定する。ここで、印刷文字を配置する位置は、合焦位置判別信号に基づいて決定され、印刷文字は、合焦領域Ｆｄ以外の測距領域上に配置される。例えば、図４において、画像信号に付加された合焦位置判別信号が測距領域ｃを示す場合、合焦領域Ｆｄは測距領域ｃであるので、印刷文字は、被写体像と重複しない領域である、例えば、測距領域ｄに配置される。印刷文字の配置位置が決定されると、かかる配置位置を示すデータは、画像印刷制御部７１へ送られ、処理はＳｔｅｐ２３へ移行する。
【００５７】
Ｓｔｅｐ２３において、画像印刷制御部７１は、撮影画像と印刷文字、印刷文字の配置位置、印刷枚数等を含む印刷データを生成する。続くＳｔｅｐ２４において、印刷データは、印刷データ出力部７２により印刷装置７４に出力される。さらに、Ｓｔｅｐ２５において、印刷装置７４は、受信した印刷データに基づいて、撮影画像と印刷文字とを含む合成画像を指定された印刷枚数分の用紙に印刷する。次に、Ｓｔｅｐ２６において、マイクロコンピュータ３は、所定の印刷枚数の印刷が完了したか否かを判定し、完了した場合には印刷処理を終了し、表示部５５に再びメニュー画面を表示させる。
【００５８】
図１４は、印刷装置７４により印刷された合成画像の一例である。なお、図１４では、説明のために合成画像とともに各測距領域が表示されているが、実際に印刷される画像には各測距領域は表示されない。図１４において、印刷文字は、合焦位置判別信号に基づいて撮影画像の合焦領域以外の位置に配置されて用紙６２に印刷される。ここで、合焦領域は測距領域ｃであるので、印刷文字６３は、測距領域ｃに対して対角線上に位置する測距領域ｇに配置される。このように、印刷文字６３は被写体像１０２と重複しない位置に配置されるので、視認性のよい合成画像の印刷が可能である。また、ユーザは印刷文字の配置を調整する作業を行う必要がなく、合成画像を容易にかつ効率よく印刷でき、利便性が高い。
【００５９】
また、本実施の形態に係るデジタルカメラ１は、視認性のよい合成画像を印刷するだけでなく、かかる合成画像を表示部５５に表示することも可能である。画像表示制御部１３は、印刷文字を合焦位置判別信号に基づいて配置し、合成画像を表示部５５に表示させる。したがって、ユーザは、撮影画像と印刷文字とが重ならないように印刷文字を配置する作業を行う必要がない。また、印刷開始前に印刷すべき合成画像を表示部に表示させて確認することができるので、印刷の失敗を防ぐことができる。なお、合成画像は、印刷実行前に表示される場合に限られず印刷実行中や実行後に表示してもよい。
【００６０】
以上のように、実施の形態１に係るデジタルカメラは、合焦位置を示す情報を撮影画像とともに記録する。そして、印刷文字は被写体の位置を考慮して配置されるので、視認性のよい合成画像を印刷することができる。また、ユーザは、印刷文字を配置する位置を調整する必要がないので、合成画像を容易にかつ効率的に印刷することができ、利便性が高い。
【００６１】
また、実施の形態１に係るデジタルカメラは、被写体の位置を考慮して印刷文字を配置するので、視認性のよい合成画像を表示部に表示することができる。
【００６２】
なお、本実施の形態において、撮影画像とともに印刷すべき印刷文字は、印刷処理の際にユーザが印刷メニューにて選択あるいは入力したが、これに限られない。例えば、印刷すべき印刷文字は、撮影画像を含む画像ファイルのヘッダ部あるいはフッタ部に格納されてもよい。あるいは、印刷すべき文字列が格納された文書ファイルと画像ファイルとを関連付けて管理してもよい。
【００６３】
また、複数の被写体を同時に撮影する場合には、合焦位置は一箇所に限らず、複数個所であってもよい。この場合、印刷文字あるいは画像は、複数の合焦位置と重ならないように表示あるいは印刷される。
【００６４】
また、測距領域および合焦領域については、表示部５５に、必ずしも表示させる必要はない。また、表示部５５に測距領域および合焦領域を表示させる場合であっても、印刷時には測距領域および合焦領域の枠を印刷しないようにしてもよい。
【００６５】
（実施の形態２）
次に、実施の形態２に係るデジタルカメラ１００について説明する。本実施の形態に係るデジタルカメラ１００は、実施の形態１に係るデジタルカメラ１とほぼ同様の構成を備えるが、さらに撮影時のデジタルカメラの姿勢を判別する点で異なる。本実施の形態では、デジタルカメラ１と同様の構成要素については同一の符号を付し、実施の形態１と異なる点を中心に説明する。
【００６６】
本実施の形態において、像ブレ補正機構２０は像ブレを防止する役割とともに、デジタルカメラ１００の姿勢検出手段としても併用することができる。図１５は、像ブレ補正機構２０の姿勢を示しており、図１５Ａは、横撮り姿勢の撮影における像ブレ補正機構２０の姿勢を示し、図１５Ｂは、縦撮り姿勢の撮影における像ブレ補正機構２０の姿勢を示す。
【００６７】
図１５Ａにおいて、横撮り姿勢の場合、第２レンズ群Ｌ２と、ピッチング保持枠２１と、コイル２４ｘ、２４ｙと、ヨーイング保持枠２２とを含むそれぞれの重さは、重力方向であるＹ方向へ作用する。このとき、第２レンズ群Ｌ２は、適切な像を得るために光軸中心に保持される必要がある。そのため、第２レンズ群Ｌ２の自重分を支持するための電磁力の発生が必要である。したがって、必要とする電磁力を発生させるために電流値Ｉｙ１がコイル２４ｙに供給される。一方、Ｘ方向については、第２レンズ群Ｌ２を光軸中心に保持するための自重分を考慮する必要がないため、コイル２４ｘへ供給される電流値Ｉｘ２は、コイル２４ｙへ供給される電流値Ｉｙ１と比較して小さい値となる。
【００６８】
図１５Ｂは、光軸を中心として横撮り姿勢から９０°回転させた縦撮り姿勢における像ブレ補正機構２０の姿勢を示している。第２レンズ群Ｌ２と、ピッチング保持枠２１と、コイル２４ｘ、２４ｙと、ヨーイング保持枠２２とを含むそれぞれの重さは、重力方向であるＸ方向へ作用する。このとき、第２レンズ群Ｌ２は、光軸中心に保持される必要がある。そのため、Ｘ方向に関して、第２レンズ群Ｌ２の自重分に加えて、ヨーイング保持枠２２の自重分を支持するための電磁力の発生が必要となる。したがって、必要とする電磁力を発生させるために、電流値Ｉｘ１がコイル２４ｘへ供給される。電流値Ｉｘ１は、ヨーイング保持枠２２の自重分を考慮すると、横撮り姿勢においてコイル２４ｙに供給される電流値Ｉｙ１と比較して大きい値となる。一方、Ｙ方向に関して、第２レンズ群Ｌ２を光軸中心に保持するための自重分を考慮する必要がないため、コイル２４ｙへ供給される電流値Ｉｙ２は、コイル２４ｘへ供給される電流値Ｉｘ１と比較して小さい値となる。
【００６９】
以上から、コイル２４ｘ、２４ｙに流れる電流値は、デジタルカメラ１の撮影姿勢により定まる。すなわち、像ブレ補正機構２０およびデジタルカメラ１００の撮影姿勢は、コイルに流れる電流値を検出することにより判断することができる。したがって、像ブレ補正機構２０は、像ブレを防止する役割とともに、デジタルカメラ１の姿勢検出手段としても併用することができる。
【００７０】
次に、本実施の形態に係るデジタルカメラ１００の動作について説明する。図１６は、撮影姿勢別のコイル供給電流量を示す図であり、図１７は撮影姿勢別の姿勢判別信号を示す。ここで、横撮りの姿勢におけるデジタルカメラ１の姿勢を基準とし、そのときの角度を０°とする。また、縦撮りの姿勢におけるデジタルカメラ１の姿勢は、横撮り姿勢から光軸を中心として９０°回転させた姿勢となる。
【００７１】
ユーザが横撮り姿勢で撮影する場合、図１６に示すようにヨーイング電流値検出部１４ｘおよびピッチング電流値検出部１４ｙは、像ブレ補正機構２０のコイル２４ｘに流れる電流値Ｉｘ２およびコイル２４ｙに流れる電流値Ｉｙ１をそれぞれ検出する。かかる電流値から、マイクロコンピュータ３は、デジタルカメラ１の姿勢を横撮り姿勢として判別する。そして、横撮り姿勢にてユーザがシャッター操作部３６を操作すると、撮影が行われ
、画像信号は画像記録部１２に記録される。このとき、画像記録制御部１１は、デジタルカメラ１の撮影姿勢が横撮り姿勢（角度は０°）であったことを示す姿勢判別信号７０（０）を、バッファメモリ９から出力される画像信号に付加する。かかる姿勢判別信号７０は、例えば、画像信号のヘッダあるいはフッタ部分に記録される。なお、姿勢判別信号７０を記録するタイミングは、バッファメモリ９あるいは画像記録部１２内のいずれにおいて行ってもよい。
【００７２】
一方、ユーザが縦撮り姿勢で撮影する場合、図１６に示すようにヨーイング電流値検出部１４ｘおよびピッチング電流値検出部１４ｙは、像ブレ補正機構２０のコイル２４ｘに流れる電流値Ｉｘ１およびコイル２４ｙに流れる電流値Ｉｙ２を検出する。かかる電流値により、マイクロコンピュータ３は、デジタルカメラ１の姿勢を縦撮り姿勢として判別する。そして、縦撮り姿勢にてユーザがシャッター操作部３６を操作すると、撮影処理が行われ、画像信号は画像記録部１２に記録される。このとき、画像記録制御部１１は、デジタルカメラ１の撮影姿勢が光軸を中心として横撮り姿勢から９０°回転した縦撮り姿勢であったことを示す姿勢判別信号７０（１）を、バッファメモリ９から出力される画像信号に付加する。このように、本実施の形態に係るデジタルカメラ１００は、撮影時の姿勢に応じた姿勢判別信号７０を画像信号と対応付けて記録する。
【００７３】
また、実施の形態１と同様に画像信号には合焦位置を示す合焦位置判別信号が付加される。図１８は、撮影時における表示部５５の表示例を示す。実施の形態１と同様に、ＡＦ制御部９１は、各測距領域Ｆａのコントラスト値の大きさや撮影画面上における測距領域Ｆａの配置位置に基づく重み付けなどから、被写体に対する最適な合焦位置を算出する。例えば、図１８Ａに示すように、横撮り姿勢で撮影する場合、合焦領域Ｆｄは、測距領域ｃに設定され、測距領域cを示す合焦位置判別信号が画像信号に付加される。また、例えば、図１８Ｂに示す縦撮り姿勢で撮影する場合、合焦領域Ｆｄは測距領域ｄに設定され、測距領域ｄを示す合焦位置判別信号が画像信号に付加される。なお、縦撮り姿勢にて撮影される場合、９点の測距領域のうち６点の測距領域のコントラスト値を求め、合焦領域Ｆｄを決定する。これは、縦撮り姿勢では、被写体と地面を含む構図により撮影される頻度が高いので、地面に合焦領域Ｆｄが設定されることのないようにするためである。
【００７４】
次に、撮影画像の表示処理について説明する。図１９は、撮影画像の表示例を示す。上述のように、画像信号には、合焦位置判別信号に加えて、撮影時のデジタルカメラ１００の姿勢を示す姿勢判別信号７０が付加されている。これにより、画像表示制御部１３は、姿勢判別信号７０に応じた表示処理を行う。すなわち、画像表示制御部１３は、横撮り姿勢にて撮影された画像については、横長画像として表示部５５に表示する。一方、画像表示制御部１３は、縦撮り姿勢にて撮影された画像については、撮影画像の姿勢を９０°回転させて縦長画像として表示部５５に表示する。このように、画像表示制御部１３は、画像信号に付加された姿勢判別信号７０に応じて、撮影画像の天地方向を撮影時の撮影姿勢に復元して表示するので、視認性のよい表示が可能である。
【００７５】
図２０は、表示部５５に表示される印刷メニューの一例を示す。図２０に示す印刷メニューは、実施の形態１における印刷メニューとほぼ同様であるが、縮小画像表示部５６に表示される撮影画像の天地方向を撮影時のデジタルカメラ１００の姿勢に復元して表示する点で異なる。したがって、印刷メニューにおいても視認性のよい撮影画像を表示することができる。
【００７６】
図２１は、撮影画像の印刷処理に関するフローチャートを示す。図２１に示すフローチャートは、図１３とほぼ同様であるが、さらに印刷文字の天地方向を設定可能である点で異なる。
【００７７】
図２２は、印刷装置７４により印刷された合成画像の一例である。なお、図２２では、説明のために合成画像とともに測距領域を表示しているが、実際に印刷される画像には測距領域は表示されない。図２２Ａは、横長画像の印刷例、図２２Ｂは、縦長画像の印刷例を示す。図２２に示すように、印刷文字は撮影画像の合焦領域以外の位置に撮影画像と等しい天地方向で配置されて用紙６２上に合成画像が印刷される。例えば、図２２Ａにおいて、合焦領域Ｆｄは測距領域ｃであるので、印刷文字は測距領域ｃに対して対角線上に位置する測距領域ｇに配置される。また、例えば、図２２Ｂにおいて、合焦領域Ｆｄは測距領域ｆであるので、印刷文字は測距領域ｄに配置される。
【００７８】
以上のように、本実施の形態に係るデジタルカメラは、実施の形態１の効果に加えて、印刷文字を撮影画像の天地方向と等しい方向に配置するので、さらに視認性を向上させた合成画像を印刷することができる。また、ユーザは撮影画像または印刷文字を回転させる作業を行う必要がないので、容易にかつ効率よく合成画像を印刷することができ、利便性が高い。
【００７９】
また、本実施の形態に係るデジタルカメラは、像ブレ補正機構により撮影時の撮影姿勢を検出することができるので、新たな構成を加えることなく、撮影姿勢の判別が可能であり、簡易な構成とすることができる。
【００８０】
（実施の形態３）
図２３は、実施の形態３に係るデジタルカメラ３００の概略構成を示すブロック図である。デジタルカメラ３００は、実施の形態１に係るデジタルカメラ１とほぼ同様の構成を備えるが、さらにＧＰＳ（Global Positioning System）を備える点で異なる。ＧＰＳは、ＧＰＳ制御部４５とＧＰＳモジュール４６とを含み、人工衛星からの信号により地球上での位置を特定することができる。これにより、ＧＰＳにより得られる位置情報を撮影画像とともに表示あるいは印刷することができる。本実施の形態では、実施の形態１および２と同一の構成要素については同一の符号を付し、実施の形態１および２と異なる点を中心に説明する。
【００８１】
ＧＰＳ部は、ＧＰＳ制御部４５とＧＰＳモジュール４６とから構成される。ＧＰＳ制御部４５は、ＧＰＳ部全体を制御する。ＧＰＳモジュール４６は、ＧＰＳ制御部４５による指令信号により、衛星からの信号を図示しないＧＰＳアンテナにより受信し、受信信号を復調および解読する。そして、復調された信号に基づいて、緯度・経度や高度を含む位置情報を算出する。なお、地名データメモリ８１には、都道府県名や都市名などの特定の場所と、それらの緯度・経度とを対応させた地名データが記憶されている。
【００８２】
マイクロコンピュータ３は、撮影画像が記録された後、撮影画像に対応する撮影位置情報を取得するためにＧＰＳ制御部４５に指令を送る。指令を受けたＧＰＳ制御部４５は、ＧＰＳモジュール４６を動作させて位置情報を取得する。マイクロコンピュータ３は、得られた位置情報に対応する地名を地名データメモリ８１から検索し、画像ファイルに記録する。かかる位置情報は、画像ファイルのヘッダ部あるいはフッタ部に記録される。例えば、撮影場所が沖縄である場合、画像ファイルのヘッダ部あるいはフッタ部には、ＧＰＳ部によって取得した緯度・経度と地名データメモリ８１に基づいて沖縄の地名が記録される。なお、取得した緯度・経度に対応する地名が存在しない場合には、緯度・経度を位置情報として記録してもよいし、あるいは地名データメモリ８１に記憶された地名のうち最も近接する地名を記録してもよい。このように、本実施の形態に係るデジタルカメラ３００は、撮影画像とともに撮影場所に関する情報を記録することができる。
【００８３】
図２４は、印刷装置７４により印刷された合成画像の一例を示す。本実施の形態における印刷処理は、実施の形態２とほぼ同様に行われるが、図１２の印刷メニューにおいてユ
ーザが選択あるいは入力した印刷文字の代わりに地名あるいは緯度・経度を示す文字列が印刷される点で異なる。このとき、図２２に示すように、かかる文字列は、被写体像と重複しない位置に撮影画像と等しい天地方向で配置される。例えば、撮影場所が沖縄である場合には、印刷文字として「沖縄にて」が表示される。
【００８４】
以上のように、実施の形態３に係るデジタルカメラは、ＧＰＳ部を備えているので撮影場所を示す文字列を撮影画像とともに印刷することができ、付加価値が高い。また、撮影場所を示す文字列は、被写体の撮影画面のおける位置と撮影画像の天地方向とを考慮して配置されるので、視認性のよい合成画像を印刷することができる。
【００８５】
なお、本実施の形態において、デジタルカメラは、ＧＰＳにより得られる緯度・経度に対応する地名を地名データメモリから検索したが、これに限られない。例えば、ＦＭ受信部を備え、ＦＭ電波により得られる地名データから対応する地名を検索してもよい。
【００８６】
なお、本実施の形態において、ユーザが印刷メニューにおいて選択あるいは入力した文字列に代えて地名や緯度・経度を印刷文字としたが、これに限られない。印刷メニューにおいて選択・入力された文字列と地名や緯度・経度の両方を撮影画像とともに印刷あるいは表示してもよい。
【００８７】
なお、実施の形態１〜３に係るデジタルカメラは、画像印刷制御部を備えたが、これに限られない。画像印刷制御部は印刷装置に備えられてもよい。かかる場合、印刷装置は、デジタルカメラから撮影画像、合焦位置判別信号、姿勢判別信号等を受信して印刷データを生成する。
【００８８】
なお、実施の形態１〜３に係るデジタルカメラは、表示部を備えたが、これに限られない。表示部は印刷装置に備えられてもよい。これにより、簡易な構成としたデジタルカメラにすることができる。また、合成画像および印刷メニューは、デジタルカメラに接続された外部のモニタに表示されてもよい。
【００８９】
なお、実施の形態１〜３において、印刷文字は、合焦領域以外の位置に配置されたが、これに限られない。例えば、印刷文字は青空などの輝度分布が一様となる位置に配置されてもよい。かかる場合、印刷文字の色を背景色に応じて変化させてもよい。例えば、背景色が青色の場合には印刷文字の色を青の補色である黄色とすることにより、印刷文字を目立たせることができる。
【００９０】
なお、実施の形態１〜３に係るデジタルカメラは、静止画像の印刷および表示を行ったが、これに限られない。本発明は、動画像を表示する場合についても適用できる。例えば、動画像中の被写体像と重複しない位置に字幕、コメントなどのテロップを表示することができ、視認性のよい動画像を表示することができる。
【００９１】
なお、実施の形態１〜３に係るデジタルカメラは、入力された文字列と撮影画像との合成画像を印刷する構成としたが、これに限られない。例えば、あらかじめ決められた文字が画像として撮影時に直接撮影画像に入力されてもよい。
【００９２】
なお、実施の形態１〜３に係るデジタルカメラは、適切な合焦位置を算出するために９点の測距領域を用いたが、その数に限定されるものではない。例えば、測距領域をさらに多く設定することにより、より正確な合焦位置を算出できる。また、例えば、測距領域をさらに少なく設定することにより、信号処理の負担を軽減でき、より早く合焦位置を算出できる。
【００９３】
なお、実施の形態２および実施の形態３に係るデジタルカメラは、あらかじめ記録部にカレンダー等の雛型を画像として記録してもよく、雛型と撮影画像との合成画像を印刷あるいは表示してもよい。ユーザは撮影画像と雛型の天地方向を等しくするために回転処理を行う必要がないので、利便性の高いデジタルカメラを提供することができる。
【００９４】
なお、実施の形態２および実施の形態３に係るデジタルカメラは、像ブレ補正機構を用いてデジタルカメラの姿勢を検出する際、デジタルカメラの姿勢によっては、ヨーイング方向のコイルおよびピッチング方向のコイルへ供給される電流が等しくなる場合がある。例えば、デジタルカメラの光軸方向と重力方向とが平行になる姿勢にて撮影された場合や、デジタルカメラの光軸方向と重力方向とが直交する姿勢において、光軸を中心に所定の範囲を回転させて撮影された場合が考えられる。このように、像ブレ補正装置によっては姿勢検出を行うことができない場合については、横撮り姿勢により撮影されたものとして、画像信号には姿勢判別信号７０（０）が付加されてもよい。また、あるいは、縦撮り姿勢にて撮影されたものとして姿勢判別信号７０（１）が付加されてもよい。
【００９５】
なお、実施の形態２および実施の形態３に係るデジタルカメラは、ピッチングおよびヨーイング電流値検出部の両方の電流値を検出することにより撮影時のデジタルカメラの姿勢を判断したが、これに限られない。撮影時のデジタルカメラの姿勢は、ピッチングおよびヨーイング電流検出部のうち少なくとも一方の電流値を検出することにより撮影時のデジタルカメラの姿勢を特定してもよい。ただし、本実施の形態で説明したように、ピッチングもしくはヨーイング電流値検出部のどちらか一方の電流値検出部に異常が生じた場合、両方の電流値を検出することで、より正確な撮影姿勢を判断することができる。
【００９６】
なお、実施の形態２および実施の形態３に係るデジタルカメラは、撮影時のデジタルカメラの姿勢をピッチングおよびヨーイング電流値検出部の電流値を検出することにより判断したが、これに限られない。例えば、電圧値を測定してデジタルカメラの姿勢を判断してもよい。
【００９７】
なお、実施の形態１〜３に係るデジタルカメラは、ＵＳＢケーブルを用いて印刷装置と接続されたが、これに限られない。例えば、ＩＥＥＥ１３９４シリアルバス用ケーブルや、無線ＬＡＮ等の無線を用いて接続してもよい。また、例えば、印刷データをリムーバブルメモリに記録し、リムーバブルメモリから印刷データを読み取り可能な印刷装置により印刷されてもよい。
【００９８】
なお、実施の形態２および実施の形態３に係るデジタルカメラは、１つのシャッター操作部を備えたが、これに限られない。例えば、横撮り姿勢で撮影するシャッター操作部と、縦撮り姿勢で撮影するシャッター操作部とをそれぞれ単独で搭載し、操作されたシャッター操作部を検知してデジタルカメラの姿勢を判断してもよい。
【００９９】
なお、実施の形態２および実施の形態３において、横撮り姿勢の場合を０°とし、光軸を中心に９０°回転させた姿勢を縦撮り姿勢としたが、これに限られない。例えば、デジタルカメラの姿勢を横撮り姿勢を０°とした場合、−９０°回転させた姿勢を縦撮り姿勢と判別してもよい。また、−９０°回転させた姿勢にて撮影された場合には、画像信号に姿勢判別信号７０（２）を付加してもよい。これにより、デジタルカメラは、横姿勢が１種類、縦姿勢が２種類の合計３種類の姿勢を検出することができる。
【０１００】
なお、実施の形態２および実施の形態３に係るデジタルカメラは、姿勢判別信号７０として（０）または（１）の信号を付加する方法を用いたが、これに限られない。また、デジタルカメラは、撮影画像を記録したファイルと、姿勢判別信号や合焦位置判別信号、印刷文字を記録したファイルとを対応させて管理してもよい。
【０１０１】
なお、実施の形態２および実施の形態３において、姿勢検出手段として像ブレ補正機構を用いた例を示したが、これに限られない。例えば、デジタルカメラに角度センサや回転検出装置等を取り付けることにより、デジタルカメラの姿勢を検出してもよい。
【０１０２】
なお、実施の形態１〜３において、デジタルカメラと印刷装置とは別構成としたが、これに限られない。デジタルカメラに印刷装置を含む一体型の構成としても同様の効果を得ることができる。
【０１０３】
なお、実施の形態１〜３において、印刷システムに含まれる各構成要素同士は、任意の組み合わせが可能である。例えば、撮像光学系および撮像センサ、姿勢検出部と、その他の構成が物理的に分離された複数の装置からなるシステムとしてもよく、各構成要素の組み合わせは、これに限られない。
【０１０４】
なお、実施の形態１〜３において、デジタルカメラは、撮影画像を記録する記録部を備えたが、これに限られない。例えば、ハードディスクを備え、デジタルカメラとの接続にケーブルを必要としない、撮影画像の記録または集積が可能なクレードルを用いてもよい。また、印刷装置を制御する装置は、例えば、撮影画像を大量に保存することができるハードディスク等を備えた撮像光学系を有しないデータストレージであってもよく、かかるデータストレージに表示部と画像印刷制御部を設ければ、デジタルカメラと同様な使い方ができる。
【０１０５】
（実施の形態４）
本実施の形態では、記録部に記録された撮影画像を読み出した後に文字情報を配置する方法について図５、図６、図１２を参照して説明する。
【０１０６】
図５は、図３で示したデジタルカメラ１の制御ブロック図について要部のみを抜き出した図である。図６は、デジタルカメラ１と印刷装置７４の概略構成図である。図６に示すように、デジタルカメラ１と印刷装置７４とは、ＵＳＢケーブル７３を用いて接続される。図５中、画像印刷制御部７１は、マイクロコンピュータ３からの制御信号により制御され、外部に接続された印刷装置７４に送信するための印刷データを生成する。ここで、印刷データには、例えば、撮影画像、撮影画像とともに印刷する文字情報、文字情報の配置位置と天地方向、印刷枚数等の印刷に関する各種データが含まれる。印刷データ出力部７２は、画像印刷制御部７１の指令に基づいて、ＵＳＢケーブル７３を介して印刷データを印刷装置７４の記録部に出力する。印刷装置７４は、転送された印刷データおよび印刷指令に基づいて、撮影画像と印刷文字との合成画像を用紙に印刷する。
【０１０７】
ユーザが、画像記録部１２に記録された撮影画像を表示部５５に表示させ、任意の撮影画像を選択する。例えば、選択された撮影画像は、図１２の縮小画像表示部５６に示される画像である。ここで、ユーザは、印刷枚数選択プルダウンメニュー５７で１枚と選択し、印刷文字選択プルダウンメニュー５８で「こんにちは！」を選択し、プリント実行アイコン６０を操作すると、撮影画像に文字情報が自動的に配置され、印刷データが印刷装置７４に出力される。
【０１０８】
このとき、印刷データ出力部７２は、画像記録部１２から画像信号を読み出す読み出し部と、読み出した画像信号から被写体の顔（顔位置を含む）を検出する顔検出部を含むように構成されている。そして、印刷データ出力部７２は、ユーザにより撮影画像の印刷が指示された場合、画像記録部１２から画像信号を読み出し、読み出した画像信号から被写体の顔を検出し、撮影画面上の顔と異なる位置に文字情報を配置して、撮影画像と文字情報とを含む印刷データを生成する。印刷データ出力部７２は、印刷装置７４に印刷データ
を出力する。印刷装置７４は、印刷データ出力部から受け取った印刷データに基づき、撮影画像と印刷文字との合成画像を用紙に印刷する。なお、マイクロコンピュータ３は、顔検出部で検出された顔位置を示す顔位置情報を読み出した画像信号と対応付けて、記録部に記録させるように制御してもよい。このとき、印刷データ出力部７２は、画像信号と顔位置情報とを画像記録部１２へ出力する出力部をさらに含むように構成されている。このように構成することにより、記録部は、顔位置情報に対応付けされないで記録された画像信号に顔位置情報を対応付けして記録することができる。また、顔検出部は、画像記録制御部１１に含まれるように構成してもよい。このように構成することにより、画像記録部１２は、撮影時に得た画像信号に顔位置情報を対応付けして記録することができる。
【０１０９】
なお、顔検出方法としては、撮影画像から輪郭情報を検出し、検出された輪郭内に特徴点（目、鼻、口等）が存在するかを検出する方法がある。顔検出部は、検出された輪郭内に特徴点が存在する場合、顔と判断する。印刷データ出力部７２は、顔と判断した輪郭部分と異なる位置に文字情報を配置する。これにより、撮像装置は、顔以外の位置に文字情報を配置することができる。
【０１１０】
（他の変形例）
また、撮影画像と一緒に表示、あるいは印刷されるものは、文字列に限らず、絵文字、ロゴ、すかし文字など（以下、絵文字等という）６４でもよい。また、この絵文字等６４は、撮影画像が記録された季節、あるいは場所により、最適な絵文字等（例えば、図２５に示すように、海であれば、ヨットの絵文字）が自動的に選択されるようにしてもよい。
【０１１１】
また、図２６に示すように、撮影画像と一緒に表示、あるいは印刷されるものは、文字列に限らず、飾り枠６５であってもよい。この場合には、合焦位置（顔の位置）にウインドウ枠６６が設けられ、その他の部分に飾り枠６５が表示、あるいは印刷される。また、複数の被写体の場合には、複数のウインドウ枠が設けられる。ウインドウ枠６６については、合焦位置を中心に、所定の大きさにて、自動的に設定されるようにすればよい。
【０１１２】
また、カメラ機能付きの携帯電話端末のように、撮像装置に送信装置を設けて、絵文字等が合成された撮影画像を送信できるようにしてもよい。この場合には、撮影画像のファイルサイズを自動的に圧縮して、送信時間の短縮等ができるようにしてもよい。
【０１１３】
なお、絵文字等の画像については、上述した各実施の形態１〜４において文字情報に対して行われる各種処理が適用可能である。
【０１１４】
本発明の目的の１つは、以下の構成を備えた撮像装置によって達成される。被写体の光学的な像を電気的な画像信号として出力し、接続された印刷装置に転送可能な撮像装置であって、被写体の光学的な像を形成する撮像光学系と、形成された光学的な像を受光し、光学的な像を電気的な画像信号に変換する撮像センサと、被写体に対する合焦位置を検出する合焦位置検出部と、画像信号と合焦位置を示す合焦位置情報とを対応付けて記録する記録部と、画像信号に基づく撮影画面上の合焦位置と異なる位置に文字列を含む文字情報を配置し、撮影画像と文字情報とを含む印刷データを生成する印刷データ生成部とを備える。
【０１１５】
本発明の目的の１つは、以下の構成を備えた印刷システムによって達成される。撮像装置と印刷装置とを相互に接続可能な印刷システムであって、撮像装置は、被写体の光学的な像を形成する撮像光学系と、形成された光学的な像を受光し、光学的な像を電気的な画像信号に変換する撮像センサと、被写体に対する合焦位置を検出する合焦位置検出部と、画像信号と合焦位置を示す合焦位置情報とを対応付けて記録する記録部と、画像信号に基づく撮影画面上の合焦位置と異なる位置に文字列を含む文字情報を配置し、撮影画像と文
字情報とを含む印刷データを生成する印刷データ生成部と、生成された印刷データを出力する印刷データ出力部とを備え、印刷装置は、出力された印刷データを受信して印刷する印刷部を備える。
【０１１６】
本発明の目的の１つは、以下の構成を備えた印刷装置によって達成される。画像信号と合焦位置を示す合焦位置情報とを読み出し可能な印刷装置であって、画像信号と合焦位置情報とを読み出す読み出し部と、画像信号に基づく撮影画面上の合焦位置と異なる位置に文字列を含む文字情報を配置し、撮影画像と文字情報とを含む印刷データを生成する印刷データ生成部と、生成された印刷データに基づいて印刷する印刷部とを備える。
【０１１７】
本発明の目的の１つは、以下の構成を備えた印刷方法によって達成される。相互に接続された撮像装置と印刷装置とを用いた印刷方法であって、画像信号と合焦位置を示す合焦位置情報とを読み出す読み出しステップと、画像信号に基づく撮影画面上の合焦位置と異なる位置に文字列を含む文字情報を配置し、撮影画像と文字情報とを含む印刷データを生成する印刷データ生成ステップと、生成された印刷データに基づいて印刷する印刷ステップとを備える。
【０１１８】
２００６年２月２０日出願の特願２００６−０４３００２の日本出願に含まれる明細書、図面および要約書の開示内容は、すべて本願に援用される。
【産業上の利用可能性】
【０１１９】
本発明の撮像装置および印刷装置は、撮影画像の印刷方法に関し、快適な印刷表示が要望されている、デジタルスチルカメラ、デジタルビデオカメラ、カメラ機能付きの携帯電話端末およびＰＤＡなどに適用することができる。
【図面の簡単な説明】
【０１２０】
【図１】従来のデジタルカメラの姿勢と表示部に表示される撮影画像の関係を示す図
【図２】従来のカメラにおける撮影画像と位置情報の合成画像の表示例を示す図
【図３】実施の形態１に係るデジタルカメラの概略構成を示すブロック図
【図４】実施の形態１に係るデジタルカメラに設定された測距領域の一例を示す図
【図５】実施の形態１に係るデジタルカメラの制御ブロック図について要部のみを抜き出した図
【図６】実施の形態１に係るデジタルカメラと印刷装置の概略構成図
【図７】実施の形態１に係るデジタルカメラの構成を示す図であり、図７Ａは上面図、図７Ｂは背面図
【図８】実施の形態１における像ブレ補正機構の制御システムについて説明するための図
【図９】実施の形態１に用いる像ブレ補正機構の構成を示す図
【図１０】実施の形態１における撮影画像の印刷処理に関するフローチャート
【図１１】実施の形態１におけるサムネイル画像の表示例を示す図
【図１２】実施の形態１において表示部に表示された印刷メニューの一例を示す図
【図１３】実施の形態１における印刷処理のフローチャート
【図１４】実施の形態１における印刷装置により印刷された合成画像の一例を示す図
【図１５】実施の形態２における像ブレ補正機構の姿勢を示す図、図１５Ａは横撮り姿勢の撮影における像ブレ補正機構の姿勢を示す図、図１５Ｂは縦撮り姿勢の撮影における像ブレ補正機構を示す図
【図１６】実施の形態２における撮影姿勢別のコイル供給電流量を示す図
【図１７】実施の形態２における撮影姿勢別の姿勢判別信号を示す図
【図１８】実施の形態２における撮影時における表示部の表示例を示す図
【図１９】実施の形態２に係るデジタルカメラにおける撮影画像の表示例を示す図、図１９Ａは横撮り姿勢にて撮影された画像を示し、図１９Ｂは縦撮り姿勢にて撮影された画像を示す図
【図２０】実施の形態２における表示部に表示される印刷メニューの一例を示す図
【図２１】実施の形態２における撮影画像の印刷処理に関するフローチャート
【図２２】実施の形態２における印刷装置により印刷された合成画像の一例であり、図２２Ａは横長画像の印刷例を示す図、図２２Ｂは縦長画像の印刷例を示す図
【図２３】実施の形態３に係るデジタルカメラの概略構成を示すブロック図
【図２４】実施の形態３における印刷装置により印刷された合成画像の一例であり、図２４Ａは横長画像の印刷例を示す図、図２４Ｂは縦長画像の印刷例を示す図
【図２５】実施の形態１〜４に適用可能な変形例における合成画像の一例を示す図
【図２６】実施の形態１〜４に適用可能な変形例における合成画像の他の例を示す図
【手続補正３】
【補正対象書類名】図面
【補正対象項目名】全図
【補正方法】変更
【補正の内容】
【図１】
2007097271.tif 000029
【図２】
2007097271.tif 000030
【図３】
2007097271.tif 000031
【図４】
2007097271.tif 000032
【図５】
2007097271.tif 000033
【図６】
2007097271.tif 000034
【図７】
2007097271.tif 000035
【図８】
2007097271.tif 000036
【図９】
2007097271.tif 000037
【図１０】
2007097271.tif 000038
【図１１】
2007097271.tif 000039
【図１２】
2007097271.tif 000040
【図１３】
2007097271.tif 000041
【図１４】
2007097271.tif 000042
【図１５】
2007097271.tif 000043
【図１６】
2007097271.tif 000044
【図１７】
2007097271.tif 000045
【図１８】
2007097271.tif 000046
【図１９】
2007097271.tif 000047
【図２０】
2007097271.tif 000048
【図２１】
2007097271.tif 000049
【図２２】
2007097271.tif 000050
【図２３】
2007097271.tif 000051
【図２４】
2007097271.tif 000052
【図２５】
2007097271.tif 000053
【図２６】
2007097271.tif 000054
【国際調査報告】
2007097271.tif 000055
2007097271.tif 000056
2007097271.tif 000057
2007097271.tif 000058
2007097271.tif 000059
2007097271.tif 000060
2007097271.tif 000061